(57)【特許請求の範囲】
【請求項１】
アクセス端末における通信方法であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信することと、ここにおいて、前記ブロードキャストメッセージは、競合タイプインジケータ、タイミング前進インジケータ、またはそれらの組み合わせを備え、前記競合タイプインジケータは、前記ＰＲＡＣＨ上での送信のために競合が有効であるかどうか、およびどの程度有効であるかを示す、
前記競合タイプインジケータに基づいて前記ＰＲＡＣＨ上での送信のために競合が有効であるかどうか、およびどの程度有効であるかを、前記タイミング前進インジケータに基づいて前記ＰＲＡＣＨ上での送信のためにアップリンク送信オフセットが有効であるかどうかを、またはそれらの組み合わせを決定することと、
前記決定することに基づいて、アップリンクシグナリングのために構成された部分において１つまたは複数のサブフレーム上で前記ＰＲＡＣＨを介するシグナリングを送信することと、ここにおいて、前記送信することは、前記競合タイプインジケータに関して前記決定することに基づいて、前記シグナリングのための通信媒体へのアクセスのために選択的に競合することを備える、
を備える、通信方法。
【請求項２】
前記送信することは、前記タイミング前進インジケータに関して前記決定することに基づいて、サブフレーム境界に関する修正された開始時間に行われる、請求項１に記載の方法。
【請求項３】
前記ＰＲＡＣＨは、（i）所与のサブフレームに関連付けられた前記シンボル期間の全てを占有するロングＰＲＡＣＨフォーマット、または（ii）所与のサブフレームに関連付けられた前記シンボル期間の全てに満たないサブセットを占有するショートＰＲＡＣＨフォーマットに対応する、請求項１に記載の方法。
【請求項４】
前記ブロードキャストメッセージは、クリアチャネルアセスメント（ＣＣＡ）閾値インジケータ、ＣＣＡ持続期間インジケータ、またはそれらの組み合わせをさらに備える、請求項１に記載の方法。
【請求項５】
前記シグナリングが送信される前記アップリンク部分は、ＰＲＡＣＨ送信のために構成されたサブフレームの終端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、請求項１に記載の方法。
【請求項６】
前記シグナリングが送信される前記アップリンク部分は、ＰＲＡＣＨ送信のために構成されたサブフレームの始端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、請求項１に記載の方法。
【請求項７】
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信することをさらに備える、請求項１に記載の方法。
【請求項８】
前記ＰＲＡＣＨは、遮断された送信機会に後続する日和見的な送信のために予約された１つまたは複数のシンボル期間にわたる１つまたは複数のリソースブロック（ＲＢ）を備える、請求項１に記載の方法。
【請求項９】
前記ＰＲＡＣＨ内の第２のシンボルのために、または第２のＰＲＡＣＨ試行のために、復調基準信号（ＤＭＲＳ）シーケンスの割り振られたセットからランダムアクセスプリアンブルを送信することをさらに備え、前記ランダムアクセスプリアンブルは、（i）第１のＤＭＲＳシーケンスと同一である、（ii）前記第１のＤＭＲＳシーケンスとは完全に異なる、または（iii）前記第１のＤＭＲＳシーケンスの周期的にシフトされたバージョンである、第２のＤＭＲＳシーケンスに対応する、請求項１に記載の方法。
【請求項１０】
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信することをさらに備える、請求項１に記載の方法。
【請求項１１】
サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を送信することをさらに備える、請求項１に記載の方法。
【請求項１２】
ランダムアクセスプロシージャの一部として無線リソース制御（ＲＲＣ）リクエストメッセージの単一の送信または自律的再送信のためにアクセス端末を構成することをさらに備える、請求項１に記載の方法。
【請求項１３】
通信装置であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するための手段と、ここにおいて、前記ブロードキャストメッセージは、競合タイプインジケータ、タイミング前進インジケータ、またはそれらの組み合わせを備え、前記競合タイプインジケータは、前記ＰＲＡＣＨ上での送信のために競合が有効であるかどうか、およびどの程度有効であるかを示す、
前記競合タイプインジケータに基づいて前記ＰＲＡＣＨ上での送信のために競合が有効であるかどうか、およびどの程度有効であるかを、前記タイミング前進インジケータに基づいて前記ＰＲＡＣＨ上での送信のためにアップリンク送信オフセットが有効であるかどうかを、またはそれらの組み合わせを決定するための手段と、
前記決定することに基づいて、アップリンクシグナリングのために構成された部分において１つまたは複数のサブフレーム上で前記ＰＲＡＣＨを介するシグナリングを送信するための手段と、ここにおいて、前記送信することは、前記競合タイプインジケータに関して前記決定することに基づいて、前記シグナリングのための通信媒体へのアクセスのために選択的に競合することを備える、
を備える、通信装置。
【請求項１４】
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するためのコードと、ここにおいて、前記ブロードキャストメッセージは、競合タイプインジケータ、タイミング前進インジケータ、またはそれらの組み合わせを備え、前記競合タイプインジケータは、前記ＰＲＡＣＨ上での送信のために競合が有効であるかどうか、およびどの程度有効であるかを示す、
前記競合タイプインジケータに基づいて前記ＰＲＡＣＨ上での送信のために競合が有効であるかどうか、およびどの程度有効であるかを、前記タイミング前進インジケータに基づいて前記ＰＲＡＣＨ上での送信のためにアップリンク送信オフセットが有効であるかどうかを、またはそれらの組み合わせを決定するためのコードと、
前記決定することに基づいて、アップリンクシグナリングのために構成された部分において１つまたは複数のサブフレーム上で前記ＰＲＡＣＨを介するシグナリングを送信するためのコードと、ここにおいて、前記送信することは、前記競合タイプインジケータに関して前記決定することに基づいて、前記シグナリングのための通信媒体へのアクセスのために選択的に競合することを備える、
を備える、非一時的コンピュータ可読媒体。
【請求項１５】
アクセスポイントにおける通信方法であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定することと、ここにおいて、前記競合タイプインジケータは、前記ＰＲＡＣＨ上での送信のために競合が有効であるかどうか、およびどの程度有効であるかを示す、
ダウンリンクシグナリングのために構成された部分において１つまたは複数のサブフレーム上の前記ＰＲＡＣＨに関連付けられた情報を含むブロードキャストメッセージを送信することと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信することと
を備える、通信方法。
【請求項１６】
通信装置であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するための手段と、ここにおいて、前記競合タイプインジケータは、前記ＰＲＡＣＨ上での送信のために競合が有効であるかどうか、およびどの程度有効であるかを示す、
ダウンリンクシグナリングのために構成された部分において１つまたは複数のサブフレーム上の前記ＰＲＡＣＨに関連付けられたブロードキャストメッセージを送信するための手段と、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するための手段と
を備える、通信装置。
【請求項１７】
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するためのコードと、ここにおいて、前記競合タイプインジケータは、前記ＰＲＡＣＨ上での送信のために競合が有効であるかどうか、およびどの程度有効であるかを示す、
ダウンリンクシグナリングのために構成された部分において１つまたは複数のサブフレーム上の前記ＰＲＡＣＨに関連付けられたブロードキャストメッセージを送信するためのコードと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するためのコードと
を備える、非一時的コンピュータ可読媒体。
【発明の詳細な説明】
【関連出願の相互参照】
【０００１】
[0001]  本願は、その譲受人に譲渡され、参照によってその全体が本明細書に明示的に組み込まれている、２０１５年１１月２５日に出願された「Random Access Channel Signaling on a Shared Communication Medium」と題された米国仮出願第６２／２５９，７７４号の優先権を主張する。
【背景技術】
【０００２】
[0002]  本開示の態様は、一般に、電気通信に関し、より具体的には、共有通信媒体上の動作などに関する。
【０００３】
[0003]  ワイヤレス通信システムは、音声、データ、マルチメディアなどのような、様々なタイプの通信コンテンツを提供するために広く展開されている。典型的なワイヤレス通信システムは、利用可能なシステムリソース（例えば、帯域幅、送信電力など）を共有することによって、複数のユーザとの通信をサポートすることができる多元接続システムである。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含む。これらのシステムは、第３世代パートナーシッププロジェクト（３ＧＰＰ（登録商標））によって提供されるロングタームエボリューション（ＬＴＥ（登録商標））、第３世代パートナーシッププロジェクト２（３ＧＰＰ２）によって提供されるウルトラモバイルブロードバンド（ＵＭＢ）およびエボリューションデータオプティマイズド（ＥＶ−ＤＯ）、電気電子技術者協会（ＩＥＥＥ）によって提供される８０２．１１などのような規格に準拠して展開されることが多い。
【０００４】
[0004]  セルラネットワークでは、「マクロセル」アクセスポイントは、多数のユーザに、ある特定の地理的エリアにわたる接続とカバレッジを提供する。マクロネットワーク配置は、地理的領域にわたる良好なカバレッジを提供するために、入念に計画、設計、および実装される。居住住宅やオフィスビルなどのための、室内または特定の地理的カバレッジを改善するために、追加的な「スモールセル」、一般に低電力アクセスポイントが、最近では従来のマクロネットワークを補完するために配置され始めている。スモールセルアクセスポイントはまた、さらなるキャパシティの増大、充実したユーザ体験などを提供し得る。
【０００５】
[0005]  例えば、スモールセルＬＴＥ動作は、ワイヤレスローカルエリアネットワーク（ＷＬＡＮ）技術で使用される免許不要全国情報インフラストラクチャ（Ｕ−ＮＩＩ：Unlicensed National Information Infrastructure）帯域のような免許不要周波数スペクトルに拡大されている。スモールセルＬＴＥ動作のこの拡大は、スペクトル効率、従ってＬＴＥシステムのキャパシティを増大させるように設計される。しかしながら、それは、通常同じ免許不要帯域を利用する他の無線アクセス技術（ＲＡＴ：Radio Access Technologies）の動作、特に、一般に「Ｗｉ−Ｆｉ」と呼ばれるＩＥＥＥ ８０２．１１ｘ ＷＬＡＮ技術と併存する必要があり得る。
【発明の概要】
【０００６】
[0006]  下記の概要は、本開示の様々な態様の説明を補助するためだけに提供される概説であり、態様の例示のためだけに提供され、それらに限定されるものではない。
【０００７】
[0007]  一例では、通信方法が開示される。方法は、例えば、ダウンリンクシグナリングのために構成された部分において１つまたは複数のサブフレーム上で物理ランダムアクセスチャネル（ＰＲＡＣＨ）に関連付けられた情報を含むブロードキャストメッセージを受信することと、ここにおいて、ブロードキャストメッセージは、競合タイプインジケータ、タイミング前進インジケータ、またはそれらの組み合わせを備える、競合タイプインジケータに基づいてＰＲＡＣＨ上での送信のために競合が有効であるかどうかを、タイミング前進インジケータに基づいてＰＲＡＣＨ上での送信のためにアップリンク送信オフセットが有効であるかどうかを、またはそれらの組み合わせを決定することと、決定することに基づいて、アップリンクシグナリングのために構成された部分において１つまたは複数のサブフレーム上でＰＲＡＣＨを介するシグナリングを送信することと、を含み得る。
【０００８】
[0008]  別の例では、通信装置が開示される。装置は、例えば、少なくとも１つのプロセッサと、少なくとも１つのプロセッサに結合された少なくとも１つのメモリと、少なくとも１つのトランシーバとを含み得る。少なくとも１つのトランシーバは、ダウンリンクシグナリングのために構成された部分において１つまたは複数のサブフレーム上のＰＲＡＣＨに関連付けられた情報を含むブロードキャストメッセージを受信するように構成され得る。ブロードキャストメッセージは、競合タイプインジケータ、タイミング前進インジケータ、またはそれらの組み合わせを備え得る。少なくとも１つのプロセッサおよび少なくとも１つのメモリは、競合タイプインジケータに基づいてＰＲＡＣＨ上での送信のために競合が有効であるかどうかを、タイミング前進インジケータに基づいてＰＲＡＣＨ上での送信のためにアップリンク送信オフセットが有効であるかどうかを、またはそれらの組み合わせを決定することを行うように構成される。少なくとも１つのトランシーバは、決定することに基づいて、アップリンクシグナリングのために構成された部分において１つまたは複数のサブフレーム上でＰＲＡＣＨを介するシグナリングを送信することを行うようにさらに構成され得る。
【０００９】
[0009]  別の例では、別の通信装置が開示される。装置は、例えば、ダウンリンクシグナリングのために構成された部分において１つまたは複数のサブフレーム上のＰＲＡＣＨに関連付けられた情報を含むブロードキャストメッセージを受信するための手段と、ここにおいて、ブロードキャストメッセージは、競合タイプインジケータ、タイミング前進インジケータ、またはそれらの組み合わせを備える、競合タイプインジケータに基づいてＰＲＡＣＨ上での送信のために競合が有効であるかどうかを、タイミング前進インジケータに基づいてＰＲＡＣＨ上での送信のためにアップリンク送信オフセットが有効であるかどうかを、またはそれらの組み合わせを決定するための手段と、決定することに基づいて、アップリンクシグナリングのために構成された部分において１つまたは複数のサブフレーム上でＰＲＡＣＨを介するシグナリングを送信するための手段とを含み得る。
【００１０】
[0010]  別の例では、少なくとも１つのプロセッサによって実行されるとき、通信のための動作を少なくとも１つのプロセッサに行わせる一時的または非一時的コンピュータ可読媒体が開示される。コンピュータ可読媒体は、例えば、ダウンリンクシグナリングのために構成された部分において１つまたは複数のサブフレーム上のＰＲＡＣＨに関連付けられた情報を含むブロードキャストメッセージを受信するためのコードと、ここにおいて、ブロードキャストメッセージは、競合タイプインジケータ、タイミング前進インジケータ、またはそれらの組み合わせを備える、競合タイプインジケータに基づいてＰＲＡＣＨ上での送信のために競合が有効であるかどうかを、タイミング前進インジケータに基づいてＰＲＡＣＨ上での送信のためにアップリンク送信オフセットが有効であるかどうかを、またはそれらの組み合わせを決定するためのコードと、決定することに基づいて、アップリンクシグナリングのために構成された部分において１つまたは複数のサブフレーム上でＰＲＡＣＨを介するシグナリングを送信するためのコードと、を含み得る。
【００１１】
[0011]  一例では、別の通信方法が開示される。方法は、例えば、ＰＲＡＣＨ上での送信のために競合が有効であるかどうかを示すための競合タイプインジケータ、ＰＲＡＣＨ上での送信のためにアップリンク送信オフセットが有効であるかどうかを示すためのタイミング前進インジケータ、またはそれらの組み合わせを設定することと、ダウンリンクシグナリングのために構成された部分において１つまたは複数のサブフレーム上のＰＲＡＣＨに関連付けられたブロードキャストメッセージを送信することと、ここにおいて、ブロードキャストメッセージは、競合タイプインジケータ、タイミング前進インジケータ、またはそれらの組み合わせを備える、アップリンクシグナリングのために構成された部分において１つまたは複数のサブフレーム上でＰＲＡＣＨを介するシグナリングを受信することと、を含み得る。
【００１２】
[0012]  別の例では、別の通信装置が開示される。装置は、例えば、少なくとも１つのプロセッサと、少なくとも１つのプロセッサに結合された少なくとも１つのメモリと、少なくとも１つのトランシーバとを含み得る。少なくとも１つのプロセッサおよび少なくとも１つのメモリは、ＰＲＡＣＨ上での送信のために競合が有効であるかどうかを示すための競合タイプインジケータ、ＰＲＡＣＨ上での送信のためにアップリンク送信オフセットが有効であるかどうかを示すためのタイミング前進インジケータ、またはそれらの組み合わせを設定するように構成され得る。少なくとも１つのトランシーバは、競合タイプインジケータ、タイミング前進インジケータ、またはそれらの組み合わせを備えるブロードキャストメッセージを用いて、ダウンリンクシグナリングのために構成された部分において１つまたは複数のサブフレーム上のＰＲＡＣＨに関連付けられたブロードキャストメッセージを送信することと、決定することに基づいて、アップリンクシグナリングのために構成された部分において１つまたは複数のサブフレーム上でＰＲＡＣＨを介するシグナリングを受信することとを行うように構成され得る。
【００１３】
[0013]  別の例では、別の通信装置が開示される。装置は、例えば、ＰＲＡＣＨ上での送信のために競合が有効であるかどうかを示すための競合タイプインジケータ、ＰＲＡＣＨ上での送信のためにアップリンク送信オフセットが有効であるかどうかを示すためのタイミング前進インジケータ、またはそれらの組み合わせを設定するための手段と、ダウンリンクシグナリングのために構成された部分において１つまたは複数のサブフレーム上のＰＲＡＣＨに関連付けられたブロードキャストメッセージを送信するための手段と、ここにおいて、ブロードキャストメッセージは、競合タイプインジケータ、タイミング前進インジケータ、またはそれらの組み合わせを備える、アップリンクシグナリングのために構成された部分において１つまたは複数のサブフレーム上でＰＲＡＣＨを介するシグナリングを受信するための手段と、を含み得る。
【００１４】
[0014]  別の例では、少なくとも１つのプロセッサによって実行されるとき、通信のための動作を少なくとも１つのプロセッサに行わせる、別の一時的または非一時的コンピュータ可読媒体が開示される。コンピュータ可読媒体は、例えば、ＰＲＡＣＨ上での送信のために競合が有効であるかどうかを示すための競合タイプインジケータ、ＰＲＡＣＨ上での送信のためにアップリンク送信オフセットが有効であるかどうかを示すためのタイミング前進インジケータ、またはそれらの組み合わせを設定するためのコードと、ダウンリンクシグナリングのために構成された部分において１つまたは複数のサブフレーム上のＰＲＡＣＨに関連付けられたブロードキャストメッセージを送信するためのコードと、ここにおいて、ブロードキャストメッセージは、競合タイプインジケータ、タイミング前進インジケータ、またはそれらの組み合わせを備える、アップリンクシグナリングのために構成された部分において１つまたは複数のサブフレーム上でＰＲＡＣＨを介するシグナリングを受信するためのコードと、を含み得る。
【図面の簡単な説明】
【００１５】
[0015]  添付の図面は、本開示の様々な態様の説明を補助するために提示され、態様の例示のためだけに提供され、それらに限定されるものではない。
【図１】[0016]  図１は、例となるワイヤレスネットワーク環境を図示するシステムレベル図である。
【図２Ａ】[0017]  図２Ａは、例となる時分割複信（ＴＤＤ）フレーム構造を図示する。
【図２Ｂ】図２Ｂは、例となる時分割複信（ＴＤＤ）フレーム構造を図示する。
【図３】[0018]  図３は、関連部分における、物理ランダムアクセスチャネル（ＰＲＡＣＨ）についての例となるサブフレーム構造を図示するリソースマップである。
【図４】[0019]  図４は、例となるＰＲＡＣＨ競合パラメータ通知メッセージ（PRACH contention parameter advertisement message）を図示する。
【図５】[0020]  図５は、アクセス端末にわたる、例となるＰＲＡＣＨ多重化スキームを図示するリソースマップである。
【図６Ａ】[0021]  図６Ａは、ショートＰＲＡＣＨフォーマットのために利用され得る、例となるスペシャルサブフレーム構造を図示する。
【図６Ｂ】図６Ｂは、ショートＰＲＡＣＨフォーマットのために利用され得る、例となるスペシャルサブフレーム構造を図示する。
【図７】[0022]  図７は、ショートＰＲＡＣＨフォーマットについての例となるＰＲＡＣＨ多重化スキームを図示するリソースマップである。
【図８】[0023]  図８は、例となるＰＲＡＣＨ構成パラメータ通知メッセージを図示する。
【図９】[0024]  図９は、ショートＰＲＡＣＨフォーマットチャネル構造内の、例となる部分的な利用スキームを図示するリソースマップである。
【図１０】[0025]  図１０は、ＰＲＡＣＨと連動して用いられ得るランダムアクセスプロシージャの、例となる適用を図示するシグナリングフロー図である。
【図１１】[0026]  図１１は、本明細書で説明される技法に従った通信の、例となる方法を図示するフロー図である。
【図１２】[0027]  図１２は、本明細書で説明される技法に従った通信の、別の例となる方法を図示するフロー図である。
【図１３】[0028]  図１３は、アクセスポイントおよびアクセス端末の詳細な例となるコンポーネントを図示するデバイスレベル図である。
【図１４】[0029]  図１４は、一連の相互関係のある機能モジュールとして表される、例となる装置を図示する。
【図１５】[0030]  図１５は、一連の相互関係のある機能モジュールとして表される、別の例となる装置を図示する。
【詳細な説明】
【００１６】
[0031]  本開示は、一般に、共有通信媒体上のランダムアクセスチャネルシグナリングを管理することに関する。このような共有通信媒体上で実施され得る、または実施されない可能性がある様々な競合プロシージャとより良く調和するために、アップリンク情報を搬送するために設計された１つまたは複数のサブフレーム（例えば、アップリンクまたはスペシャルサブフレーム）は、競合タイプインジケータ、タイミング前進インジケータ、および他のパラメータ情報のような、物理ランダムアクセスチャネル（ＰＲＡＣＨ）のための拡張されたパラメータ情報を提供するように構成され得る。ＰＲＡＣＨは、シンボル期間のセットまたはサブセットにわたる時間領域においてショートまたはロングフォーマットを用いて構成され得、サブキャリアのセット、特に、周波数領域中のリソースブロックにわたってインターレースされ得る。いくつかの設計では、１つまたは複数のシンボル期間は、任意のアクセス端末に直接割り振られるよりもむしろ、通信媒体への遮断されたアクセスに後続する日和見的送信のために予約され得る。様々な関連するランダムアクセスプロシージャが、例えば、送信機および受信機処理、電力制御、ランダムアクセス一時識別子、並びに送信制御を含むＰＲＡＣＨと調和するためにもまた提供される。
【００１７】
[0032]  本開示のより具体的な態様が、下記の説明および例示の目的で提供される様々な例を示す関連図面において提供される。本開示の範囲から逸脱することなく、代替の態様が考案され得る。さらに、本開示の周知の態様は、より関連性のある詳細を曖昧にしないために、詳細には説明されない可能性がある、または省略され得る。
【００１８】
[0033]  当業者は、下記で説明される情報および信号が様々な異なる技術および技法のうちのいずれのものを使用しても表され得ることを理解するだろう。例えば、下記の説明全体を通して参照され得るデータ、命令、コマンド、情報、信号、ビット、シンボル、およびチップは、特定の規格に部分的に、所望の設計に部分的に、対応する技術などに部分的に依存して、電圧、電流、電波、磁場または磁性粒子、光場または光学粒子、あるいはそれらのいずれの組み合わせによっても表され得る。
【００１９】
[0034]  さらに、多くの態様が、例えば、コンピューティングデバイスのエレメントによって行われる一連のアクションの観点から説明される。本明細書に説明される様々なアクションは、特定の回路（例えば、特定用途向け集積回路（ＡＳＩＣ））によって、１つまたは複数のプロセッサによって実行されるプログラム命令によって、または両方の組合せによって行われ得ることが認識されるだろう。加えて、本明細書で説明される態様の各々に関して、いずれのそのような態様の対応する形態も、例えば、説明されたアクションを行う「ように構成される論理」として実装され得る。
【００２０】
[0035]  図１は、「一次」無線アクセス技術（ＲＡＴ）システム１００および「競合している」（competing）ＲＡＴシステム１５０を含むような例として示される、例となるワイヤレスネットワーク環境を図示するシステムレベル図である。各システムは、様々なタイプの通信に関する情報（例えば、音声、データ、マルチメディアサービス、関連する制御シグナリングなど）を含むワイヤレスリンクを介して受信および／または送信することが一般に可能な異なるワイヤレスノードから成り得る。一次ＲＡＴシステム１００は、ワイヤレスリンク１３０を介して互いと通信状態にあるアクセスポイント１１０とアクセス端末１２０とを含むように示される。競合しているＲＡＴシステム１５０は、別個のワイヤレスリンク１３２を介して違いと通信状態にある２つの競合しているノード１５２を含むように示されており、同様に、１つまたは複数のアクセスポイント、アクセス端末、または他のタイプのワイヤレスノードを含み得る。一例として、一次ＲＡＴシステム１００のアクセスポイント１１０およびアクセス端末１２０は、ロングタームエボリューション（ＬＴＥ）技術またはそれらの変形（例えば、MuLTEfire、ライセンス補助アクセス（ＬＬＡ：Licensed Assisted Access）など）に従ってワイヤレスリンク１３０を介して通信し得、一方競合しているＲＡＴシステム１５０の競合しているノード１５２は、Ｗｉ−Ｆｉ技術に従ってワイヤレスリンク１３２を介して通信し得る。各システムが、例示のためだけに示されている図示されたエンティティを用いて、地理的領域全体にわたり分散された任意の数のワイヤレスノードをサポートし得ることが理解されるだろう。
【００２１】
[0036]  そうではないと記載されない限り、「アクセス端末」および「アクセスポイント」という用語はある特定のＲＡＴであること、または任意の特定のＲＡＴに限定されることを意図するものではない。一般に、アクセス端末は、ユーザが通信ネットワークを介して通信することを可能にする任意のワイヤレス通信デバイス（例えば、モバイルフォン、ルータ、パーソナルコンピュータ、サーバ、エンターテイメントデバイス、ＩＯＴ（Internet of Things）／ＩＯＥ（Internet of Everything）利用可能デバイス、車載通信デバイスなど）であり得、異なるＲＡＴ環境では、代替的にユーザデバイス（ＵＤ）、モバイル局（ＭＳ）、加入者局（ＳＴＡ）、ユーザ機器（ＵＥ）などと呼ばれ得る。同様に、アクセスポイントは、アクセスポイントが配置されるネットワークに依存してアクセス端末と通信状態にある１つのまたはいくつかのＲＡＴに従って動作し得、代替的に、基地局（ＢＳ）、ネットワークノード、ノードＢ、発展型ノードＢ（ｅＮＢ）などと呼ばれ得る。このようなアクセスポイントは、例えば、スモールセルアクセスポイントに対応し得る。「スモールセル」は、一般に、フェムトセル、ピコセル、マイクロセル、ワイヤレスローカルエリアネットワーク（ＷＬＡＮ）アクセスポイント、他のスモールカバレッジエリアアクセスポイントなどと呼ばれるか、またはそうでなければ、それらを含み得る、低電力アクセスポイントのクラスを指す。スモールセルは、マクロセルカバレッジを補完するために配置され得、それは、近隣の数ブロックまたは地方の環境における数平方マイルをカバーし得、それにより、改善されたシグナリング、さらなるキャパシティの増大、充実したユーザ体験などがもたらされる。
【００２２】
[0037]  図１に戻って、一次ＲＡＴシステム１００によって使用されるワイヤレスリンク１３０と、競合しているＲＡＴシステム１５０によって使用されるワイヤレスリンク１３２とは、共有通信媒体１４０を介して動作し得る。このタイプの通信媒体は、１つまたは複数の周波数、時間、および／または空間通信リソース（例えば、１つまたは複数のキャリアにわたる１つまたは複数のチャネルを包含する）から成り得る。例として、通信媒体１４０は、免許不要周波数帯域の少なくとも一部分に対応し得る。異なる免許周波数帯域（licensed frequency bands）が、ある特定の通信のために（例えば、米国の連邦通信委員会（ＦＣＣ）のような政府機関によって）予約されているが、いくつかのシステム、特に、スモールセルアクセスポイントを用いるものは、Ｗｉ−Ｆｉを含むＷＬＡＮ技術によって使用される免許不要全国情報インフラストラクチャ（Ｕ−ＮＩＩ：Unlicensed National Information Infrastructure）帯域のような免許不要周波数帯域に拡大された動作を有する。
【００２３】
[0038]  通信媒体１４０の共有使用のために、ワイヤレスリンク１３０とワイヤレスリンク１３２との間でのクロスリンク干渉のおそれが存在する。さらに、いつくかのＲＡＴおよびいくつかの区域（jurisdictions）は、通信媒体１４０へのアクセスのために、競合または「ＬＢＴ（Listen Before Talk）」を要求し得る。例として、それ自体の送信のために通信媒体を獲得する（および、いくつかの場合には予約する）前に、媒体センシングによって、共有通信媒体上に他のトラフィックがないことを各デバイスが検証するクリアチャネルアセスメント（ＣＣＡ）プロトコルが使用され得る。いくつかの設計では、ＣＣＡプロトコルは、通信媒体をイントラＲＡＴおよびインターＲＡＴトラフィックにそれぞれもたらすために、異なるＣＣＡプリアンブル検出（ＣＣＡ−ＰＤ）とＣＣＡエネルギー検出（ＣＣＡ−ＥＤ）メカニズムを含み得る。例えば、欧州電気通信標準化機構（ＥＴＳＩ）は、免許不要周波数帯域のようなある特定の通信媒体上のそれらのＲＡＴに関係なく、全てのデバイスについての競合を義務付けている。
【００２４】
[0039]  下記でより詳細に説明されるように、アクセスポイント１１０および／またはアクセス端末１２０は、上記で簡単に説明されたランダムアクセスチャネルシグナリング技法を提供するか、またはそうでなければサポートするために、本明細書の教示に従って様々に構成され得る。例えば、アクセスポイント１１０は、ランダムアクセスチャネルマネージャ１１２を含み得、アクセス端末１２０は、ランダムアクセスチャネルマネージャ１２２を含み得る。ランダムアクセスチャネルマネージャ１１２および／またはランダムアクセスチャネルマネージャ１２２は、通信媒体１４０上でのランダムアクセスチャネルの構成を管理するために、異なる方法で管理され得る。
【００２５】
[0040]  図２Ａ−２Ｂは、通信媒体１４０へのアクセスを容易にするために通信媒体１４０上で一次ＲＡＴシステム１００のために実装され得る、例となる時分割複信（ＴＤＤ）フレーム構造を図示する。
【００２６】
[0041]  図示されるフレーム構造は、システムフレーム番号ニューメロロジー（system frame number numerology）に従って番号付けされ（ＲＦＮ、ＲＦＮ＋１、ＲＦＮ＋２など）、それぞれのサブフレーム（ＳＦ）に分割され得る、一連の無線フレーム（ＲＦ）を含み、それらはまた、参照のために番号付けされ得る（例えば、ＳＦ０、ＳＦ１など）。各それぞれのサブフレームは、スロット（図２Ａ−２Ｂには示されていない）にさらに分割され得、それらスロットは、シンボル期間にさらに分割され得る。例として、ＬＴＥフレーム構造は、各々１０個のサブフレームからなる１０２４個の番号付けされた無線フレームに分割されるシステムフレームを含み、それらは、ともにシステムフレームサイクル（例えば、１ｍｓサブフレームを有する１０ｍｓ無線フレームの間、１０．２４秒続く）を構成する。さらに、各サブフレームは、２つのスロットを備え、各スロットは、６個または７個のシンボル期間を備え得る。フレーム構造の使用は、多くのアドホックシグナリング技法よりも、デバイス間でのより自然で効率的な協調を提供し得る。
【００２７】
[0042]  図２Ａ−２Ｂの例となるフレーム構造は、各サブフレームがダウンリンク（Ｄ）、アップリンク（Ｕ）、またはスペシャル（Ｓ）サブフレームとして異なる時点で様々に動作され得るという点において、ＴＤＤである。一般に、ダウンリンクサブフレームは、アクセスポイント１１０からアクセス端末１２０へのダウンリンク情報を送信するために予約され、アップリンクサブフレームは、アクセス端末１２０からアクセスポイント１１０へのアップリンク情報を送信するために予約され、スペシャルサブフレームは、ガード期間によって分割されたダウンリンク部分とアップリンク部分とを含み得る。ダウンリンク、アップリンク、およびスペシャルサブフレームの異なる配置は、異なるＴＤＤ構成と見なされ得る。いくつかのＴＤＤ構成は、より多くのダウンリンクサブフレームを有し得、またいくつかは、異なるトラフィックシナリオを収容するようにより多くのアップリンクサブフレームを有し得る。
【００２８】
[0043]  いくつかの設計では、フレーム構造は、各サブフレームのロケーションが絶対時間に関連してあらかじめ定められ得るという点で（図２Ａのように）「固定」され得るが、通信媒体１４０にアクセスするための競合プロシージャに起因して、任意の所与のインスタンスでは一次ＲＡＴシグナリングによって占有され得るか、または占有されない可能性がある。例えば、アクセスポイント１１０またはアクセス端末１２０が所与のサブフレームについての競合に勝たなかった場合、そのサブフレームは沈黙し（silenced）得る。しかしながら、他の設計では、フレーム構造は、通信媒体１４０へのアクセスがセキュアにされる（secured）ポイント（例えば、ＣＣＡクリア）に関連して各サブフレームのタイプ（ダウンリンク、アップリンク、またはスペシャルサブフレーム）が動的に決定され得るという点で、（図２Ｂのように）「流動的（floating）」であり得る。例えば、所与のフレーム（例えば、ＲＦＮ＋１）の効率的な開始は、アクセスポイント１１０またはアクセス端末１２０が競合に勝つことができるまで、絶対時間に関連して遅延され得る。別の例では、送信の開始は、通信媒体１４０がセキュアにされ、その後ＴＤＤ構成がアクセスポイント１１０によって動的に構成され得る（例えば、次の１０個のサブフレームがＤＤＤＤＤＵＵＵＵＵ、ＤＤＵＵＵＵＵＵＵＵ、またはＤ（すなわち、ダウンリンク）、Ｕ（すなわち、アップリンク）、およびＳ（すなわち、スペシャルサブフレーム）の異なる組み合わせとして設計され得る）まで遅延される。
【００２９】
[0044]  下記でより詳細に説明されるように、アップリンク情報を搬送するために設計された１つまたは複数のサブフレーム（例えば、図２Ａ−２Ｂの例におけるアップリンクまたはスペシャルサブフレームの全てまたは任意のもの）は、物理ランダムアクセスチャネル（ＰＲＡＣＨ）の形式でランダムアクセスシグナリングのための物理レイヤ波形を提供するように構成され得る。様々な関連のあるランダムアクセスプロシージャは、ＰＲＡＣＨと調和するためにもまた提供される。通信媒体１４０の共有性質（shared nature）に起因して、ＰＲＡＣＨサブフレーム構造および関連のあるランダムアクセスプロシージャは、任意の適用可能な競合ルールに従って、アクセス端末１２０についてのランダムアクセスをより容易にするために異なる方法で適用され得る。
【００３０】
[0045]  図３は、関連部分における、ＰＲＡＣＨについての例となるサブフレーム構造を図示するリソースマップである。示されるように、異なる設計では、ＰＲＡＣＨは、サブフレームを作り出すシンボル期間の全てまたは実質的に全てを占有する比較的長いＰＲＡＣＨフォーマット（例えば、ノーマルサイクリックプレフィックスのための１４個のシンボル期間）、またはサブフレームを作成するシンボル期間の全てに満たないサブセットＮを占有する比較的短いＰＲＡＣＨフォーマットを使用して構成され得る。ショートＰＲＡＣＨは、例示のためだけに、サブフレームの最初のＮ個のシンボルを占有するように、および他の設計では、ショートＰＲＡＣＨは、サブフレームの最後のＮ個のシンボル、サブフレームの間にあるＮ個のシンボルなどを占有するように図３で示されていることが理解されるだろう。
【００３１】
[0046]  一般に、ロングＰＲＡＣＨフォーマットは、より多くのシグナリングが所与のサブフレーム内に収容されることを可能にし得、一方ショートＰＲＡＣＨフォーマットは、―例えば、短い送信持続期間の間の特別な免除によって―通信媒体１４０を介する多くの効率的なリソース利用を可能にし得る。しかしながら、上述されるように、通信媒体１４０についての競合ルールは、周波数帯域、地形などで異なり得る。いくつかの配置では、アクセス端末１２０は、通信媒体１４０へのアクセスのために競合することなく、ＰＲＡＣＨ上で自動的に送信し得る。例えば、欧州における現在のＥＴＳＩ競合ルールは、通常は競合が要求されるにも関わらず、送信のある特定の一部分（例えば、５％）が競合の必要性なしに行われることを許可している。しかしながら、他の配置では、アクセス端末１２０は、ＰＲＡＣＨ上で送信するための、通信媒体１４０へのアクセスのために競合することを要求され得る。従って、いくつかの設計では、アクセスポイント１１０は、アクセス端末１２０がランダムアクセスを行う際に利用するための様々な競合関連パラメータを通知し得る。
【００３２】
[0047]  図４は、ＰＲＡＣＨ競合パラメータ通知メッセージとして例示の目的のために参照される、例となるブロードキャストメッセージを図示する。この例では、ＰＲＡＣＨ競合パラメータ通知メッセージ４００は、関連部分において、競合タイプインジケータ４０２、ＣＣＡ閾値インジケータ４０４、ＣＣＡ持続期間インジケータ４０６、タイミング前進インジケータ４０８、および所与の実装に適切な任意の他のインジケータ４１０を含む。単一のＰＲＡＣＨ競合パラメータ通知メッセージ４００が例示のためだけに示されており、異なる設計およびシナリオでは、様々なインジケータが、別個の個々のメッセージなどとしてメッセージの異なるセットにおいて送信され得るか、または適宜全体的に省略され得ることが理解されるだろう。
【００３３】
[0048]  競合タイプインジケータ４０２は、ＰＲＡＣＨ上での送信のために競合が有効であるかどうか、およびどの程度有効であるかを示すために（例えば、異なるタイプの競合を定義するあらかじめ定められたカテゴリなどを介して）使用され得る。例えば、競合タイプインジケータ４０２は、競合が有効ではないこと（例えば、いわゆる「カテゴリ１」ＬＢＴ）、ランダムバックオフなしの競合が有効であること（例えば、いわゆる「カテゴリ２」ＬＢＴ）、固定されたサイズの競合ウィンドウを有するランダムバックオフを用いた競合が有効であること（例えば、いわゆる「カテゴリ３」ＬＢＴ）、可変サイズの競合ウィンドウを有するランダムバックオフを用いた競合が有効であること（例えば、いわゆる「カテゴリ４」ＬＢＴ）などを示し得る。従って、競合タイプインジケータ４０２に基づいて、アクセス端末１２０は、競合を行うまたは行わないようにプログラムされるよりもむしろ、ＰＲＡＣＨシグナリングのために、通信媒体１４０へのアクセスのために選択的に競合し得る。
【００３４】
[0049]  ＣＣＡ閾値インジケータ４０４は、ＰＲＡＣＨに特有のＣＣＡのために使用されるエネルギー閾値を示すために使用され得、それは、他のチャネル（例えば、物理アップリンク共有チャネル（ＰＵＳＣＨ））のために使用される閾値とは異なり得る。例として、ＰＲＡＣＨは通常あまり頻繁には発生せず、従って送信機会を逃した影響がより顕著であるため、より積極的な競合を促進するために、ＰＲＡＣＨのためのエネルギー閾値はＰＵＳＣＨと比較してより高くなり得る（すなわち、通信媒体１４０は、より高いエネルギー閾値において混雑を感知する）。ＣＣＡ持続期間インジケータ４０６は、競合処理のための関連する競合ウィンドウの持続期間を示すために使用され得る。
【００３５】
[0050]  タイミング前進インジケータ４０８は、ＰＲＡＣＨ上での送信のためにアップリンク送信オフセットが有効であるかどうか（および、いくつかの事例では、どの程度有効であるか）を示すために使用され得る。このオフセットは、受信機のアライメントの目的で使用され得る。従って、タイミング前進インジケータ４０８に基づいて、アクセス端末１２０が送信され得、アクセスポイント１１０は、サブフレーム境界に関して修正された開始時間にＰＲＡＣＨシグナリングを（例えば、ＴＤＤフレーム構造によってＰＲＡＣＨのために通常定義されるものよりも早い時間に）受信し得る。
【００３６】
[0051]  ＰＲＡＣＨ競合パラメータ通知メッセージ４００は、例えば、マスタ情報ブロック（ＭＩＢ）シグナリング、システム情報ブロック（ＳＩＢ）シグナリングなどを介して、アクセスポイント１１０によって送信（例えば、ブロードキャスト）され得、アクセス端末１２０によって準静的に受信され得る。
【００３７】
[0052]  図３に戻って、各ＰＲＡＣＨシンボル期間は、周波数領域中のサブキャリアのセットから形成される１つまたは複数のリソースブロック（ＲＢ）にわたり得る。周波数ダイバーシティ、電力使用効率に関して、様々なチャネル占有要求を満たすために、ＰＲＡＣＨに従事する（dedicated to）ＲＢは、対応するチャネル帯域幅にわたってインターレースされ得る。
【００３８】
[0053]  図５は、アクセス端末にわたる、例となるＰＲＡＣＨ多重化スキームを図示するリソースマップである。示されるように、ＰＲＡＣＨは、異なるアクセス端末に異なるインターレースを割り振ることによって、周波数分割多重化され得る。
【００３９】
[0054]  図示された例では、第１のインタレース（インターレース＃１）は、第１のアクセス端末ＡＴ−１（例えば、アクセス端末１２０）に割り振られ、第２のインタレース（インターレース＃２）は、第２のアクセス端末ＡＴ−２に割り振られ得る。例として、１００個のＲＢを有する２０ＭＨｚチャネル帯域幅に関して、１０個のＲＢごとに構成される１０個のＲＢの１セットは、アクセス端末１２０のためのＰＲＡＣＨに従事し得る。物理アップリンク共有チャネル（ＰＵＳＣＨ）、物理アップリンク制御チャネル（ＰＵＣＣＨ）などのような他のチャネルは、他の間にあるインタレース（図示されない）を占有し得る。
【００４０】
[0055]  アクセス端末へのインターレースの１対１の対応は、例示のためだけに示されており、異なる設計およびシナリオでは、１より多いアクセス端末が所与のインターレースに（例えば、符号分割多重化を介して）割り当てられ、所与のアクセス端末が１より多いインターレースを占有し得ることなどが理解されるだろう。さらに、各インターレースは、ＰＲＡＣＨのために用いられるフォーマット（例えば、ショートまたはロング）に依存してＰＲＡＣＨによって完全にまたは部分的にのみ占有され得ることが理解されるだろう。
【００４１】
[0056]  図３に戻って、ＰＲＡＣＨのための１つのアップリンクサブフレームの構成は、例示のためだけに示されており、同様の構成が複数のアップリンクサブフレームに、アップリンクシグナリングに従事するセグメントを有する他のサブフレーム（例えば、スペシャルサブフレーム）に適用され得ることなどが理解されるだろう。具体的には、全てのサブフレームに満たないその占有性（occupying）によって、ショートＰＲＡＣＨフォーマットは、スペシャルサブフレームのような短縮型（truncated）サブフレームを介して提供され得る。またさらに、アクセスポイント１１０は、ＰＲＡＣＨを送信するための１つまたは複数のサブフレームのＰＲＡＣＨ構成を単に提供するのみであり、これらのサブフレームは、任意のあらかじめ定められたタイプ（例えば、ＤＬまたはＵＬ）を有していない可能性がある。アクセスポイント１１０は、ダウンリンクまたはアップリンクとなるこのようなサブフレームを動的に構成し得、ＰＲＡＣＨを行うアクセス端末１２０は、ＰＲＡＣＨを送信しているとき、これのアプリオリな知識を有していない可能性がある。
【００４２】
[0057]  図６Ａ−６Ｂは、ショートＰＲＡＣＨフォーマットのために利用され得る例となるスペシャルサブフレーム構造を図示する。図６Ａの設計では、スペシャルサブフレーム６１０は、「タイプＩ」スペシャルサブフレームと呼ばれ、ダウンリンク部分６１２と、その後にギャップ部分６１４と、その後にアップリンク部分６１６とを含む、３つの部分に分割される。示されるように、この設計では、ＰＲＡＣＨは、タイプ−Ｉスペシャルサブフレーム６１０の終端のアップリンク部分６１６中に置かれ得る。図６Ｂの設計では、スペシャルサブフレーム６２０は、「タイプ−ＩＩ」スペシャルサブフレームと呼ばれ、同様に３つの部分に分割されるが、アップリンク部分６２２と、その後にギャップ部分６２４と、その後にダウンリンク部分６２６とを含む、異なる時間的配置を有している。示されるように、この設計では、ＰＲＡＣＨは、タイプ−ＩＩスペシャルサブフレーム６２０の始端のアップリンク部分６２２中に置かれ得る。各部分の長さは、異なるシナリオでは、可変であり、長さゼロを含み得る。
【００４３】
[0058]  図６Ａ−６Ｂでさらに図示されるように、タイプＩスペシャルサブフレーム６１０およびタイプＩＩスペシャルサブフレーム６２０のロケーションは、アップリンク／ダウンリンク部分の異なる時間的配置を収容するためのフレーム構造内の互いからのオフセットであり得る。特に、タイプＩスペシャルサブフレーム６１０は、先行するダウンリンクサブフレームにダウンリンク部分６１２をアラインさせるために、および続いて起こるアップリンクサブフレームにアップリンク部分６１６をアラインさせるために（例えば、遷移に関連付けられたオーバーヘッドを最小化するために）、ダウンリンク−アップリンク遷移境界（例えば、その後にアップリンクサブフレームのバーストが続くダウンリンクサブフレームのバーストの間）に配置され得る。対照的に、タイプ−ＩＩスペシャルサブフレーム６２０は、先行するアップリンクサブフレームにアップリンク部分６２２をアラインさせるために、および続いて起こるダウンリンクサブフレームにダウンリンク部分６２６をアラインさせるために（例えば、先と同様に、移行に関連付けられたオーバーヘッドを最小化するために）、アップリンク−ダウンリンク遷移境界（例えば、その後にダウンリンクサブフレームのバーストが続くアップリンクサブフレームのバーストの間）に配置され得る。
【００４４】
[0059]  いずれの場合も、タイプＩスペシャルサブフレーム６１０のギャップ部分６１４またはタイプＩＩスペシャルサブフレーム６２０のギャップ部分６２４は、タイミング前進がＴＤＤシステム中の伝搬遅延を処理するように、通信媒体１４０へのアクセスを獲得するための競合（例えば、ＣＣＡ）に使用され得、またはいくつかの配置では、ＰＲＡＣＨが競合免除シグナリング（contention-exempt signaling）を搬送するときのように、スキップされ得る。タイプ−ＩＩスペシャルサブフレーム６１０は、来たるダウンリンクサブフレームについての競合のためにギャップ部分６２４が代わりに使用され得るため、このような配置において有利であり得る。
【００４５】
[0060]  図７は、ショートＰＲＡＣＨフォーマットについての例となるＰＲＡＣＨ多重化スキームを図示するリソースマップである。示されるように、ＰＲＡＣＨは、異なるＲＢインターレースにおいて他のチャネルと周波数分割多重化され得る。この例では、ＰＲＡＣＨは、第１のインターレース（インターレース＃１）上に構成され、他のインターレースは、サウンディング基準シグナリング（ＳＲＳ）、ある特定のＰＵＳＣＨシグナリング、ショートＰＵＣＣＨなどのために使用される。ＰＲＡＣＨのために使用される第１のインターレース（インターレース＃１）内で、異なるアクセス端末が多重化され、最初の２つのシンボル期間を利用する第１のアクセス端末ＡＴ−１および第２のアクセス端末ＡＴ−２（例えば、符合分割多重化を介する）、並びに、次の２つのシンボル期間を利用する第３のアクセス端末ＡＴ−３のような例で示される。
【００４６】
[0061]  図７でさらに示されるように、ＰＲＡＣＨは、利用可能であるように（例えば、積極的な競合を介して）大部分が保証されたアンカサブフレーム上で周期的に、または非アンカサブフレームにおいて日和見的に、送信され得る。アンカサブフレームは、異なる設計では異なる周期（例えば、１０ｍｓごと、２０ｍｓごとなど）でスケジューリングされ得る。非アンカサブフレームは、周期的アンカサブフレームの間に送信され得る。アクセスポイント１１０は、日和見的なＰＲＡＣＨのために非アンカサブフレームを使用するか否かを構成し得る。アンカサブフレームタイプ（例えば、スペシャルサブフレームまたはアップリンクサブフレーム）は、アクセスポイント１１０によってあらかじめ定められ得るか、または動的に構成され得る。アクセス端末１２０は、ショートＰＲＡＣＨに使用するために、サブフレーム内のシンボルおよびアンカサブフレームの時間ロケーションを用いて構成される。追加的にまたは代替として、アクセスポイント１１０は、ＰＲＡＣＨを送るようにアクセス端末１２０のために非アンカサブフレームのみを構成し得る。アクセスポイント１１０は、ＰＲＡＣＨを送信するためにアクセス端末１２０が構成を知っていることを必要とせずに、このようなサブフレームを動的に再構成し得る。
【００４７】
[0062]  図示された例では、ショートＰＲＡＣＨは、スペシャルサブフレーム上で搬送される。しかしながら、いくつかの実装では、ショートＰＲＡＣＨは、いくつかの修正を用いて、通常のアップリンクサブフレーム中で搬送され得る。例えば、通常のアップリンクサブフレームの終わりの数個のシンボルは、ＰＲＡＣＨのために設計され得、残りのシンボルは、通常のアップリンクデータ（例えば、ＰＵＳＣＨ）を搬送するために使用され得る。
【００４８】
[0063]  いくつかの実装では、アクセス端末１２０は、ＰＲＡＣＨを可能にされるロケーション（時間および周波数リソース）で構成され得るが、実際のサブフレームタイプは、事前に知られていない可能性があり得、すなわち、アンカサブフレームは、スペシャルサブフレームまたは通常のアップリンクサブフレームとなるようにあらかじめ定義される必要はない。アクセス端末１２０は、この特定のサブフレームを、いずれかのタイプのうちの１つとなるように動的に構成することができる。
【００４９】
[0064]  図８は、ＰＲＡＣＨ構成パラメータ通知メッセージとして例示の目的のために参照される、別の例となるブロードキャストメッセージを図示する。この例では、ＰＲＡＣＨ構成パラメータ通知メッセージ８００は、関連部分において、フォーマット／持続期間インジケータ８０２、インターレースインジケータ８０４、シーケンスインジケータ８０６、ＰＲＡＣＨロケーション／持続期間インジケータ８０８、および所与の実装に適切な任意の他のインジケータ８１０を含む。単一のＰＲＡＣＨ構成パラメータ通知メッセージ８００が例示のためだけに示されており、異なる設計およびシナリオでは、様々なインジケータが、別個の個々のメッセージなどとしてメッセージの異なるセットにおいて送信され得るか、または適宜全体的に省略され得ることが理解されるだろう。例として、ＰＲＡＣＨ構成パラメータ通知メッセージ８００が、全体としてまたは部分的に、ＰＲＡＣＨ競合パラメータ通知メッセージ４００と結合され得ることもまた理解されるだろう。
【００５０】
[0065]  フォーマット／持続期間インジケータ８０２は、ＰＲＡＣＨのために利用されているフォーマット（例えば、ショートまたはロング）、同様に任意の関連する持続期間情報（例えば、所与のショートＰＲＡＣＨフォーマットによって占有されるシンボル期間の数）を示すために使用され得る。インターレースインジケータ８０４は、ＰＲＡＣＨのために予約された、許容ＲＢインターレース（allowed RB interlaces）を示すために使用され得る。シーケンスインジケータ８０６は、ランダムアクセスプロシージャのために予約された、許容プリアンブルシーケンスを示すために利用され得る。ＰＲＡＣＨロケーション／持続期間インジケータ８０８は、適用可能な場合、ＰＲＡＣＨが配置されるサブフレームのダウンリンク部分の長さおよび開始位置などによって（例えば、タイプＩＩスペシャルサブフレーム６２０の終端のダウンリンク部分６２６）、ＰＲＡＣＨリソースのロケーションおよび持続期間を示すために使用され得る。
【００５１】
[0066]  ＰＲＡＣＨ構成パラメータ通知メッセージ８００は、アクセスポイント１１０によって送信（例えば、ブロードキャスト）され得、ＭＩＢシグナリング、ＳＩＢシグナリングなどを介してアクセス端末１２０によって準静的に受信され得る。
【００５２】
[0067]  図９は、ショートＰＲＡＣＨフォーマットチャネル構造内の、例となる部分的な利用スキームを図示するリソースマップである。示されるように、いくつかの設計およびシナリオでは、ＰＲＡＣＨは、アクセス端末ＰＲＡＣＨ送信機会（ＴＸＯＰ：Transmission Opportunities）によって利用されるよりも非常に多くのリソースを予約するように構成され得る。これは、例えば、通信媒体１４０の共有性質に起因して、遮断されたＴＸＯＰを減少させるために、より高いＰＲＡＣＨキャパシティを提供し得、サブフレーム内の日和見的なＰＲＡＣＨを促進し得る。
【００５３】
[0068]  図５の例のような図示された例では、第１のアクセス端末ＡＴ−１（例えば、アクセス端末１２０）は、第１のインターレース（インターレース＃１）を使用し得、第２のアクセス端末ＡＴ−２は、第２のインターレース（インターレース＃２）を使用し得る。例として、アクセス端末は、ランダムまたは擬似ランダム方式で、１つまたは複数のインターレースを、ＰＲＡＣＨのために構成された全てのインターレースの中から使用するために選択し得る。しかしながら、第１のアクセス端末ＡＴ−１および第２のアクセス端末ＡＴ−２は、それらのＰＲＡＣＨ送信のために２つのシンボル期間のブロックのみを使用し得る。
【００５４】
[0069]  示されるように、第１のアクセス端末ＡＴ−１および第２のアクセス端末ＡＴ−２は、ＰＲＡＣＨの開始前のある時間に、通信媒体１４０へのアクセスのために各々競合し得る（例えば、ＣＣＡを行う）。図示される例では、第１のアクセス端末ＡＴ−１は、ＰＲＡＣＨの最初の２つのシンボル期間上のそのそれぞれのインターレース＃１において成功し、送信する。しかしながら、第２のアクセス端末ＡＴ−２は、ＰＲＡＣＨの最初の２つのシンボル期間のそのそれぞれのインターレース＃２において失敗し、送信することを遮断される。第２のアクセス端末ＡＴ−２は、従って、ＰＲＡＣＨ内のいくらか後の時間に、通信媒体１４０へのアクセスのために再度競合する。最終的に、第２のアクセス端末ＡＴ−２は、ＰＲＡＣＨの次の２つのシンボル期間のそのそれぞれのインターレース＃２において成功し、送信する。
【００５５】
[0070]  ＰＲＡＣＨのためのさらなるリソースを予約することによって、ＰＲＡＣＨの開始時に通信媒体１４０へのアクセスをセキュアにすることができないアクセス端末は、後に日和見的に通信媒体１４０を獲得することが可能であり得、ＰＲＡＣＨ内の送信を完了し得る。通常、アクセス端末は、異なるＰＲＡＣＨ試行にわたりその送信電力を上昇させる。しかしながら、サブフレーム内の日和見的な送信について、送信電力上昇は用いられない。
【００５６】
[0071]  いくつかの実装では、追加のリソースがＰＲＡＣＨのために予約され、ＰＲＡＣＨが競合なしに送信されるとき、アクセス端末は、それらのＰＲＡＣＨプリアンブルを送るために開始シンボル期間をランダムに選択し得る。例えば、ＰＲＡＣＨのために予約された４つのシンボル期間と２つのシンボル期間プリアンブル持続期間とを用いて、アクセス端末は、ランダムにシンボル１またはシンボル３でＰＲＡＣＨプリアンブルを送信することを選択し得る。
【００５７】
[0072]  図９に戻って、いくつかのアクセス端末に対して部分的利用が適切であり得る一方、他のアクセス端末は、必要に応じて追加のリソースを利用し得る。例えば、ハンドオーバーを行うアクセス端末、またはアクセスポイント１１０によって提供されるカバレッジ領域のエッジに近いアクセス端末（例えば、閾値よりも大きいパスロスを有する）は、よりロバストな送信を促進するために、ＰＲＡＣＨの追加のシンボル期間にわたるリソースを利用し得る。図示された例では、第３のインターレース（インターレース＃３）およびその関連するシンボル期間の全ては、このような状況下で、第３のアクセス端末ＡＴ−３によって利用され得る。
【００５８】
[0073]  図１０は、ＰＲＡＣＨと連動して用いられ得るランダムアクセスプロシージャの、例となる適用を図示するシグナリングフロー図である。この例では、アクセス端末１２０は、アクセスポイント１１０によって提供されるアップリンクリソースへのアクセスを獲得するために、ＰＲＡＣＨを介する競合ベースのランダムアクセスプロシージャを行っている。
【００５９】
[0074]  競合ベースのランダムアクセスは、一般に４つのパートのプロシージャとして行われ得る。始めに、アクセス端末１２０は、PRACH-ConfigurationIndexパラメータによって示され得るフォーマットおよびＰＲＡＣＨ時間領域リソース割り振りなどの、ランダムアクセスプリアンブル（Ｍｓｇ１ １０１２）を送信し得る。Ｍｓｇ１を送信することに連動して、アクセス端末１２０は、（例えば、ra-ResponseWindowSizeパラメータに従って）ランダムアクセス応答（ＲＡＲ：Random Access Response）タイマをセットし得、共通制御チャネル（例えば、物理ダウンリンク制御チャネル（ＰＤＣＣＨ））上のＲＡＲメッセージ（Ｍｓｇ２ １０１４）を待つ。ＲＡＲタイマが満了する前にＭｓｇ２を受信すると、アクセス端末１２０は、ＲＡＲタイマをキャンセルし得る。そうでない場合、アクセス端末１２０は、Ｍｓｇ１ １０１２を再送し得る。
【００６０】
[0075]  Ｍｓｇ２では、アクセス端末１２０は、無線リソース制御（ＲＲＣ）リクエスト（Ｍｓｇ３ １０１６）を送信する際に利用される、タイミングアライメント値（timing alignment）、リソース（アップリンク許可）、および一時識別子（例えば、セル無線ネットワーク一次識別子（Ｃ−ＲＮＴＩ））を受信し得る。Ｍｓｇ３を送信することに連動して、アクセス端末１２０は、（例えば、mac-ContentionResolutionTimerパラメータに従って）競合変換（ＣＲ）タイマをセットし得る。
【００６１】
[0076]  Ｍｓｇ３の送信後、アクセス端末１２０は、ＣＲタイマの満了まで、その一時識別子（Ｍｓｇ４ １０１８）を含むＣＲメッセージのための共通制御チャネルをモニタし得る。Ｍｓｇ４を成功裏に復号することに連動して、アクセス端末１２０は、ＣＲタイマ（ブロック１０２８）をキャンセルし得る。
【００６２】
[0077]  本明細書で説明されるようなショートＰＲＡＣＨフォーマットとの調和に関して、アクセス端末１２０は、異なる方法で復調基準信号（ＤＭＲＳ）シーケンスの許容されたセットからランダムアクセスプリアンブル（Ｍｓｇ１ １０１２）を選択し得る（プリアンブル送信（ＴＸ）処理ブロック１０２２）。所与のサブフレーム内の異なるシンボル期間中にアクセス端末１２０によって使用されるＤＭＲＳシーケンスは、同一であり得るか、または異なるものであり得る。それらが異なるとき、第２のＤＭＲＳシーケンスは、（例えば、異なるルートのシーケンスとは）完全に異なり得るか、または当初のシーケンスとは異なるサイクリックシフトを使用し得る。さらに、Ｍｓｇ１ １０１２送信のための複数のＰＲＡＣＨ試行に関して（例えば、アクセス端末１２０が通信媒体１４０へのアクセスをセキュアにすることができないとき、またはアクセスポイント１１０がＰＲＡＣＨを正確に受信しないとき）、アクセス端末１２０によって使用されるＤＭＲＳシーケンスは、再度同じになり得るか、または異なり得る。しかしながら、異なるＤＭＲＳシーケンスは、他のアクセス端末との衝突の可能性を低減することを支援し得る。例として、第２のＤＭＲＳシーケンスは、第１のＤＭＲＳシーケンスのサイクリックシフトであるように選択され得、ここで、使用されるサイクリックシフトは、ＰＲＡＣＨ試行番号の関数（function of the PRACH attempt number）である。
【００６３】
[0078]  その部分に関して、アクセスポイント１１０は、異なる方法でランダムアクセスプリアンブル（Ｍｓｇ１ １０１２）を復調し得る（プリアンブル受信（ＲＸ）処理ブロック１０２４）。一般に、アクセスポイント１１０は、ＰＲＡＣＨのＤＭＲＳシーケンスのためのＲＢごとの処理、およびＲＢにわたる非コヒーレントエネルギ結合（non-coherent energy combining）を行い得る。ＲＢ内で、アクセスポイント１１０は、様々な動作を行い得る。例として、アクセスポイント１１０は、異なるシンボル期間にわたる独立した処理、およびシンボル期間にわたる非コヒーレント結合を行い得る。別の例では、アクセスポイント１１０は、（例えば、チャネル推定を取得するために第１のシンボル期間を使用して、および第２のシンボル期間ＤＭＲＳシーケンスのコヒーレント復調のためにこのチャネル推定を使用して）第２のシンボル期間のコヒーレント検出を行い得、ピーク相関値を決定し得る。別の例では、アクセスポイント１１０は、（例えば、既知のプリアンブルセグメントと第１のシンボル期間を相互相関させ、既知のプリアンブルおよびチャネル推定と第２のシンボル期間を相互相関させ、および２つのシンボルにわたりコヒーレントに／非コヒーレントに結合しかつピーク相関値を取得する）１つのシンボル期間内でコヒーレント処理を行い得る。
【００６４】
[0079]  特定のシステムでは、狭帯域ＰＲＡＣＨ波形は、ランダムアクセスプリアンブル（Ｍｓｇ１ １０１２）（例えば、ＲＢインターレースの密集したサブセット、または１つのサブセットのみを使用する）の送信のために使用され得る。しかしながら、通信媒体１４０におけるレギュレーションは、狭帯域送信のための電力を制限し得る―すなわち、狭帯域送信は、ある特定の電力スペクトル密度制限に従う必要があり得る。狭帯域ＰＲＡＣＨ波形の使用を促進するために、アクセスポイント１１０は、いくつかの例ではさらに、他のアップリンク送信と比較して（例えば、ＰＵＳＣＨを介して）、ランダムアクセスプリアンブル（Ｍｓｇ１ １０１２）の送信のために許可された最大送信電力を別個に示す（任意の）ＰＲＡＣＨ送信電力パラメータメッセージ１０２６を通知し得る。ＰＲＡＣＨ送信電力パラメータメッセージ１０２６は、アクセスポイント１１０によって送信（例えば、ブロードキャスト）され得、ＭＩＢシグナリング、ＳＩＢシグナリングなどを介してアクセス端末１２０によって準静的に受信され得る。他の送信電力制限メッセージからＰＲＡＣＨ送信電力パラメータメッセージ１０２６を分離することによって、ランダムアクセスプリアンブル（Ｍｓｇ１ １０１２）は、ＲＲＣリクエスト（Ｍｓｇ３ １０１６）のような他のメッセージの送信電力に影響を受けることなく、適用可能な電力スペクトル密度制限に適合するように行われ得る。
【００６５】
[0080]  従来、ランダムアクセスプロシージャ中にアクセス端末１２０を識別するために使用されるランダムアクセスネットワーク一時識別子（ＲＡ−ＲＮＴＩ）は、周波数領域中のランダムアクセスプリアンブル（Ｍｓｇ１ １０１２）送信タイミングおよびロケーションから導出され得る。レガシＬＴＥでは、例えば、ＲＡ−ＲＮＴＩは、下記の式に従って計算される１６ビット値である。  
ＲＡ−ＲＮＴＩ＝１＋ｔ＿ｉｄ＋１０＊ｆ＿ｉｄ      （式１）
ここで、ｔ＿ｉｄは、指定されたＰＲＡＣＨの第１のサブフレームのインデックスであり（０≦ｔ＿ｉｄ＜１０）、ｆ＿ｉｄは、周波数領域の昇順におけるそのサブフレーム内の指定されたＰＲＡＣＨのインデックスである（０≦ｆ＿ｉｄ＜６）。
【００６６】
[0081]  本明細書で説明されるＰＲＡＣＨの広帯域（ＲＢインターレース）波形、および（サブフレームインデックスが、意味をもって際立って特徴的なものとなり得ない（may not be meaningfully distinguishing）ように、通常、１つのスペシャルサブフレームのみが所与の無線フレーム中で利用される）スペシャルサブフレーム中の送信のオプションをよりよく適合させるように、ＲＡ−ＲＮＴＩの定義を拡張するために、ＲＡ−ＲＮＴＩは、サブフレームインデックス、ＲＢインターレース、ＰＲＡＣＨの開始シンボル期間インデックス（例えば、４つのＰＲＡＣＨ領域中のシンボル１またはシンボル３）、および／または使用されるＤＭＲＳシーケンス（あるいは関連するサイクリックシフトまたは何らかの他の関連する識別子）の関数として代わりに定義され得る。例として、修正されたＲＡ−ＲＮＴＩは、下記の式に従って計算され得る。  
ＲＡ−ＲＮＴＩ＝１＋ｋ＊Ｉｎｔｅｒｌａｃｅ＿ｉｄ＋ｍ＊ＤＭＲＳ＿ｓｅｑ＿ＩＤ    （式２）
【００６７】
[0082]  ここで、Interlace_idはアクセス端末１２０によって使用されるＲＢインターレースに対応し、DMRS_seq_IDはアクセス端末１２０によって使用されるＤＭＲＳシーケンスに対応し、ｋおよびｍは変数を分離するために、および必要に応じてＲＡ−ＲＮＴＩスペースを拡大または縮小するために使用され得る定数である。
【００６８】
[0083]  図１０を再度参照すると、ＲＲＣリクエスト（Ｍｓｇ３ １０１６）は、従来、ハイブリッド自動再送要求（ＨＡＲＱ）再送スキームに従って再送される。しかしながら、ＨＡＲＱプロシージャは通常、通信媒体１４０の共有性質に起因して一次ＲＡＴシステム１００によって用いられるフレーム構造内で利用可能ではない可能性がある肯定応答メッセージを搬送するために、別個の物理ハイブリッド−ＡＲＱインジケータチャネル（ＰＨＩＣＨ）に依存する。代わりに、アクセス端末１２０は、異なる方法では、ＲＲＣリクエスト（Ｍｓｇ３ １０１６）の再送を制限するように構成され得る（再送（ＲＥ−ＴＸ）制御ブロック１０２８）。例として、アクセス端末１２０は、ＲＲＣリクエスト（Ｍｓｇ３ １０１６）の単一の送信のみのために構成され得、その失敗は、ランダムアクセスプロシージャの再試行を促進する。別の例として、アクセス端末１２０は、（例えば、ＣＲメッセージ（Ｍｓｇ４ １０１８）がある特定の時間ウィンドウ内で受信されない場合）自律的再送信のために構成され得る。衝突を避けるために、アクセスポイント１１０は、ある時間の期間中、ＲＲＣリクエスト（Ｍｓｇ３ １０１６）のために割り当てられるアップリンクリソースを任意の他のアクセス端末に再度割り振ることを、または任意の他の目的のために（例えば、同じ時間ウィンドウの満了まで）控え得る。示されるように、アクセスポイント１１０は、構成メッセージなど（再送（ＲＥ−ＴＸ）構成メッセージ１０３０）を介して、自律的再送および任意の関連するパラメータを利用可能にし得る。再送構成メッセージ１０３０は、アクセスポイント１１０によって送信（例えば、ブロードキャスト）され得、ＭＩＢシグナリング、ＳＩＢシグナリングなどを介してアクセス端末１２０によって準静的に受信され得る。別の例として、Ｍｓｇ３ ＨＡＲＱは、Ｍｓｇ２の再送によって、アクセスポイント１１０により制御され得る。例えば、許可が搬送される時間から、指定されたアップリンクサブフレーム中で、またはある特定の時間ウィンドウ内でアクセスポイント１１０がＭｓｇ３を受信しないとき、それはＭｓｇ２を再送する。Ｍｓｇ３を送信した後、アクセス端末１２０は、任意の再送されたＭｓｇ２を復号するために、予期されたＲＡ−ＲＮＴＩを用いてＰＤＣＣＨをサーチし続ける。Ｍｓｇ２の受信の際、アクセス端末１２０は、Ｍｓｇ３を再送し得、競合決定タイマを再開し得る。
【００６９】
[0084]  いくつかの実装では、Ｍｓｇ３の受信の信頼性を高めるために、アクセスポイント１１０は、複数のアップリンク許可を提供し得る（すなわち、複数のサブフレーム中でＭｓｇ２を送る）。アクセス端末１２０は、異なる冗長バージョンを使用して、これらのアップリンクサブフレームにおいて異なるＭｓｇ３インスタンスを送信し得、ここで、異なるサブフレーム中で使用される冗長バージョンは、（例えば、Ｍｓｇ２中の新規のフィールドで定義することによって、またはこの目的のために存在するフィールドを再定義することによって）対応するＭｓｇ２ペイロード中で搬送される。
【００７０】
[0085]  図１１は、上述される技法に従った通信の、例となる方法を図示するフロー図である。方法１１００は、例えば、共有通信媒体上で動作するアクセス端末（例えば、図１で図示されるアクセス端末１２０）によって行われ得る。例として、通信媒体は、ＬＴＥ技術デバイスとＷｉ−Ｆｉ技術デバイスとの間で共有される免許不要無線周波数帯域上の、１つまたは複数の時間、周波数、または空間リソースを含み得る。
【００７１】
[0086]  示されるように、アクセス端末は、ダウンリンクシグナリングのために構成された部分において１つまたは複数のサブフレーム上のＰＲＡＣＨに関連付けられた情報を含むブロードキャストメッセージを受信し得る（ブロック１１０２）。ブロードキャストメッセージは、競合タイプインジケータ、タイミング前進インジケータ、またはそれらの組み合わせを備え得る。アクセス端末は次に、競合タイプインジケータに基づいてＰＲＡＣＨ上での送信のために競合が有効であるかどうかを、タイミング前進インジケータに基づいてＰＲＡＣＨ上での送信のためにアップリンク送信オフセットが有効であるかどうかを、またはそれらの組み合わせを決定し得る（ブロック１１０４）。決定することに基づいて、アクセス端末は、アップリンクシグナリングのために構成された部分において１つまたは複数のサブフレーム上でＰＲＡＣＨを介するシグナリングを送信し得る（ブロック１１０６）。
【００７２】
[0087]  上記でより詳細に説明されるように、送信することは、例えば、競合タイプインジケータに関して決定することに基づいて、シグナリングのための通信媒体へのアクセスのために選択的に競合することを備え得る。追加的にまたは代替的に、送信することは、例えば、タイミング前進インジケータに関して決定することに基づいて、サブフレーム境界に関する修正された開始時間にシグナリングを送信することを備え得る。
【００７３】
[0088]  いくつかの設計またはシナリオでは、ＰＲＡＣＨは、（i）所与のサブフレームに関連付けられたシンボル期間の実質的に全てを占有するロングＰＲＡＣＨフォーマット、または（ii）所与のサブフレームに関連付けられたシンボル期間の全てに満たないサブセットを占有するショートＰＲＡＣＨフォーマットに対応し得る。ブロードキャストメッセージもまた、ＣＣＡ閾値インジケータ、ＣＣＡ持続期間インジケータ、またはそれらの組み合わせをさらに備え得る。
【００７４】
[0089]  例として、シグナリングが送信されるアップリンク部分は、ＰＲＡＣＨ送信のために構成されたサブフレームがアップリンクサブフレームタイプに対応するか、ダウンリンクサブフレームタイプに対応するか、またはスペシャルサブフレームタイプに対応するかを決定しないアクセス端末を用いて、ＰＲＡＣＨ送信のために構成されたサブフレームの終端に位置付けられる。別の例では、シグナリングが送信されるアップリンク部分はまた、ＰＲＡＣＨ送信のために構成されたサブフレームがアップリンクサブフレームタイプに対応するか、ダウンリンクサブフレームタイプに対応するか、またはスペシャルサブフレームタイプに対応するかどうかを同様に決定しないアクセス端末を用いて、ＰＲＡＣＨ送信のために構成されたサブフレームの始端に位置付けられ得る。アクセスポイントが周期的ＰＲＡＣＨ機会を構成し、アクセス端末にこれらの機会を通知し得るため、ＰＲＡＣＨ送信を行うために、関連するサブフレームのタイプをアクセス端末が必ずしも決定する必要はない可能性があり、それは、サブフレームタイプが動的に構成され得る上述されるような流動的ＴＤＤフレーム構造に対して特に有益であり得ることが理解されるだろう。ＰＲＡＣＨは、例えば、遮断された送信機会に後続する日和見的な送信のために予約された１つまたは複数のシンボル期間にわたる１つまたは複数のＲＢを備え得る。
【００７５】
[0090]  いくつかの設計またはシナリオでは、アクセス端末はまた、ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信し得る。アクセス端末はまた、ＰＲＡＣＨ内の第２のシンボルのために、または第２のＰＲＡＣＨ試行のために、ＤＭＲＳシーケンスの割り振られたセットからランダムアクセスプリアンブルを送信し、ランダムアクセスプリアンブルは、（i）第１のＤＭＲＳシーケンスと同一である、（ii）第１のＤＭＲＳシーケンスとは完全に異なる、または（iii）第１のＤＭＲＳシーケンスの周期的にシフトされたバージョンである、第２のＤＭＲＳシーケンスに対応する。アクセス端末はまた、ＰＵＳＣＨとは異なる最大送信電力を設定する狭帯域ＰＲＡＣＨ波形のためのＰＲＡＣＨ固有の最大送信電力パラメータを受信し得る。アクセス端末はまた、サブフレームインデックス、ＲＢインターレース、ＰＲＡＣＨのために用いられるＤＭＲＳシーケンス、またはそれらの組み合わせの関数である、ＲＡ−ＲＮＴＩを送信し得る。アクセス端末はまた、ランダムアクセスプロシージャの一部としてＲＲＣリクエストメッセージの単一の送信または自律的再送信のためにそれ自体を構成し得る。
【００７６】
[0091]  図１２は、上述される技法に従った通信の、別の例となる方法を図示するフロー図である。方法１２００は、例えば、共有通信媒体上で動作するアクセスポイント（例えば、図１で図示されるアクセスポイント１１０）によって行われ得る。例として、通信媒体は、ＬＴＥ技術デバイスとＷｉ−Ｆｉ技術デバイスとの間で共有される免許不要無線周波数帯域上の、１つまたは複数の時間、周波数、または空間リソースを含み得る。
【００７７】
[0092]  示されるように、アクセスポイントは、ＰＲＡＣＨ上での送信のために競合が有効であるかどうかを示すための競合タイプインジケータ、ＰＲＡＣＨ上での送信のためにアップリンク送信オフセットが有効であるかどうかを示すためのタイミング前進インジケータ、またはそれらの組み合わせを設定し得る（ブロック１２０２）。アクセスポイントは次に、ダウンリンクシグナリングのために構成された部分において１つまたは複数のサブフレーム上のＰＲＡＣＨに関連付けられたブロードキャストメッセージを送信し得る（ブロック１２０４）。ブロードキャストメッセージは、競合タイプインジケータ、タイミング前進インジケータ、またはそれらの組み合わせを備え得る。アクセスポイントは、アップリンクシグナリングのために構成された部分において１つまたは複数のサブフレーム上でＰＲＡＣＨを介するシグナリングを受信し得る（ブロック１２０６）。
【００７８】
[0093]  上記でより詳細に説明されるように、ＰＲＡＣＨは、（i）所与のサブフレームに関連付けられたシンボル期間の実質的に全てを占有するロングＰＲＡＣＨフォーマット、または（ii）所与のサブフレームに関連付けられたシンボル期間の全てに満たないサブセットを占有するショートＰＲＡＣＨフォーマットに対応し得る。ブロードキャストメッセージもまた、ＣＣＡ閾値インジケータ、ＣＣＡ持続期間インジケータ、またはそれらの組み合わせをさらに備え得る。
【００７９】
[0094]  シグナリングが受信されるアップリンク部分は、ＴＤＤフレーム構造内のダウンリンク−アップリンク遷移境界に位置付けられるスペシャルサブフレームを用いて、スペシャルサブフレームのダウンリンク部分とギャップ部分とに後続するスペシャルサブフレームの終端に位置付けられ得る。シグナリングが受信されるアップリンク部分もまた、ＴＤＤフレーム構造内のアップリンク−ダウンリンク遷移境界に位置付けられるスペシャルサブフレームを用いて、スペシャルサブフレームのダウンリンク部分とギャップ部分とに先行するスペシャルサブフレームの始端に位置付けられ得る。ＰＲＡＣＨは、例えば、遮断された送信機会に後続する日和見的な送信のために予約された１つまたは複数のシンボル期間にわたる１つまたは複数のＲＢを備え得る。
【００８０】
[0095]  いくつかの設計またはシナリオでは、アクセスポイントはまた、ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信し得る。アクセスポイントはまた、ＲＢごとの処理とＲＢにわたる非コヒーレントエネルギ結合とを行うことによって、ＤＭＲＳシーケンスの割り振られたセットから選択されたランダムアクセスプリアンブルを復調し得る。アクセスポイントはまた、ＰＵＳＣＨとは異なる最大送信電力を設定する狭帯域ＰＲＡＣＨ波形のためのＰＲＡＣＨ固有の最大送信電力パラメータを送信し得る。アクセスポイントはまた、サブフレームインデックス、ＲＢインターレース、ＰＲＡＣＨのために用いられるＤＭＲＳシーケンス、またはそれらの組み合わせの関数である、ＲＡ−ＲＮＴＩを受信し得る。アクセスポイントはまた、ランダムアクセスプロシージャの一部としてＲＲＣリクエストメッセージの単一の送信または自律的再送信のためにアクセス端末を構成し得る。
【００８１】
[0096]  一般化のために、アクセスポイント１１０およびアクセス端末１２０は、ランダムアクセスチャネルマネージャ１１２およびランダムアクセスチャネルマネージャ１１２をそれぞれ含むような、関連部分においてのみ図１で示される。しかしながら、アクセスポイント１１０およびアクセス端末１２０が、本明細書で説明されるランダムアクセスシグナリング技法を提供するか、またはそうでなければサポートするために、様々な方法で構成され得ることが理解されるだろう。
【００８２】
[0097]  図１３は、より詳細な一次ＲＡＴシステム１００のアクセスポイント１１０およびアクセス端末１２０の詳細な例となるコンポーネントを図示するデバイスレベル図である。示されるように、アクセスポイント１１０およびアクセス端末１２０は、一般に、少なくとも１つの指定されたＲＡＴを介して他のワイヤレスノードと通信するためのワイヤレス通信デバイス（通信デバイス１３３０および１３５０によって表される）を各々含み得る。通信デバイス１３３０および１３５０は、信号を送信および符号化するために様々に構成され得、反対に、（例えば、メッセージ、インジケーション、情報、パイロットなどの）指定されたＲＡＴに従った信号を受信および復号するために構成され得る。
【００８３】
[0098]  通信デバイス１３３０および１３５０は、例えば、一次ＲＡＴトランシーバ１３３２および１３５２のような１つまたは複数のトランシーバを含み、いくつかの設計では、（例えば、競合しているＲＡＴシステム１５０によって用いられるＲＡＴに対応する）（任意で）コロケートされた二次ＲＡＴトランシーバ１３３４および１３５４をそれぞれ含み得る。本明細書で使用される場合、「トランシーバ」は、送信機回路、受信機回路、またはそれらの組み合わせを含み得るが、全ての設計において送信および受信機能の両方を提供する必要はない。例えば、低機能受信機回路は、いくつかの設計では、十分な通信を提供することが必要ではないとき（例えば、低いレベルの傍受（sniffing）のみを提供する無線チップまたは類似する回路）、コストを低減するために利用され得る。さらに、本明細書で使用される場合、「コロケートされた」という用語（例えば、無線、アクセスポイント、トランシーバなど）は、様々な配置のうちの１つを指し得る。例えば、同じハウジング中にあるコンポーネント、同じプロセッサによってホストされたコンポーネント、互いの定義された距離内のコンポーネント、および／またはインターフェースが任意の要求されたコンポーネント間通信（例えば、メッセージング）のレイテンシ要求を満たす、（例えば、イーサネット（登録商標）切り替えなどの）インターフェースを介して接続されたコンポーネントである。
【００８４】
[0099]  アクセスポイント１１０およびアクセス端末１２０はまた、一般に、それらそれぞれの通信デバイス１３３０および１３５０の動作を制御する（例えば、方向付け、修正、有効化、無効化など）ための（通信コントローラ１３４０および１３６０によって表される）通信コントローラを各々含み得る。通信コントローラ１３４０および１３６０は、１つまたは複数のプロセッサ１３４２および１３６２と、プロセッサ１３４２および１３６２に結合された１つまたは複数のメモリ１３４４および１３６４とをそれぞれ含み得る。メモリ１３４４および１３６４は、オンボードキャッシュメモリとして、別個のコンポーネントとして、組み合わせなどのいずれかで、データ、命令、またはそれらの組み合わせを記憶するように構成され得る。プロセッサ１３４２および１３６２、並びにメモリ１３４４および１３６４は、独立型の通信コンポーネントであり得るか、またはアクセスポイント１１０およびアクセス端末１２０のそれぞれのホストシステム機能の一部であり得る。
【００８５】
[00100]  ランダムアクセスチャネルマネージャ１１２およびランダムアクセスチャネルマネージャ１２２が異なる方法で実装され得ることが理解されるだろう。いくつかの設計では、それらに関連する機能のいくつかまたは全ては、少なくとも１つのプロセッサ（例えば、プロセッサ１３４２の１つまたは複数、および／またはプロセッサ１３６２の１つまたは複数）、少なくとも１つのメモリ（例えば、メモリ１３４４の１つまたは複数、および／またはメモリ１３６４の１つまたは複数）、少なくとも１つのトランシーバ（例えば、トランシーバ１３３２および１３３４の１つまたは複数、および／またはトランシーバ１３５２および１３５４の１つまたは複数）、またはそれらの組み合わせによって、またはそうでなければそれらの指示で、実装され得る。他の設計では、それらに関連する機能のいくつかまたは全ては、一連の相互関係のある機能モジュールとして実装され得る。
【００８６】
[00101]  従って、図１３のコンポーネントは、図１−１２に関して上述される動作を行うために使用され得ることが理解されるだろう。例えば、アクセス端末１２０は、一次ＲＡＴトランシーバ１３５２を介して、ダウンリンクシグナリングのために構成された部分において１つまたは複数のサブフレーム上のＰＲＡＣＨに関連付けられた情報を含むブロードキャストメッセージを受信する。ブロードキャストメッセージは、競合タイプインジケータ、タイミング前進インジケータ、またはそれらの組み合わせを備え得る。アクセス端末１２０は次に、プロセッサ１３６２およびメモリ１３６４を介して、競合タイプインジケータに基づいてＰＲＡＣＨ上での送信のために競合が有効であるかどうかを、タイミング前進インジケータに基づいてＰＲＡＣＨ上での送信のためにアップリンク送信オフセットが有効であるかどうかを、またはそれらの組み合わせを決定し得る。決定することに基づいて、アクセス端末１２０は、一次ＲＡＴトランシーバ１３５２を介して、アップリンクシグナリングのために構成された部分において１つまたは複数のサブフレーム上でＰＲＡＣＨを介するシグナリングを送信し得る。
【００８７】
[00102]  別の例では、アクセスポイント１１０は、プロセッサ１３４２およびメモリ１３４４を介して、ＰＲＡＣＨ上での送信のために競合が有効であるかどうかを示すための競合タイプインジケータ、ＰＲＡＣＨ上での送信のためにアップリンク送信オフセットが有効であるかどうかを示すためのタイミング前進インジケータ、またはそれらの組み合わせを設定し得る。アクセスポイント１１０は次に、一次ＲＡＴトランシーバ１３３２を介して、ダウンリンクシグナリングのために構成された部分において１つまたは複数のサブフレーム上のＰＲＡＣＨに関連付けられたブロードキャストメッセージを送信し得る。ブロードキャストメッセージは、競合タイプインジケータ、タイミング前進インジケータ、またはそれらの組み合わせを備え得る。アクセスポイント１１０は、一次ＲＡＴトランシーバ１３３２を介して、アップリンクシグナリングのために構成された部分において１つまたは複数のサブフレーム上でＰＲＡＣＨを介するシグナリングを受信し得る。
【００８８】
[00103]  図１４は、一連の相互関係のある機能モジュールとして表されるランダムアクセスチャネルマネージャ１２２を実装するための、例となる装置を図示する。図示された例では、装置１４００は、受信するためのモジュール１４０２、決定するためのモジュール１４０４、および送信するためのモジュール１４０６を含み得る。
【００８９】
[00104]  受信するためのモジュール１４０２は、ダウンリンクシグナリングのために構成された部分において１つまたは複数のサブフレーム上のＰＲＡＣＨに関連付けられた情報を含むブロードキャストメッセージを受信し得る。ブロードキャストメッセージは、競合タイプインジケータ、タイミング前進インジケータ、またはそれらの組み合わせを備え得る。決定するためのモジュール１４０４は、競合タイプインジケータに基づいてＰＲＡＣＨ上での送信のために競合が有効であるかどうかを、タイミング前進インジケータに基づいてＰＲＡＣＨ上での送信のためにアップリンク送信オフセットが有効であるかどうかを、またはそれらの組み合わせを決定し得る。決定することに基づいて、送信するためのモジュール１４０６は、アップリンクシグナリングのために構成された部分において１つまたは複数のサブフレーム上でＰＲＡＣＨを介するシグナリングを送信し得る。
【００９０】
[00105]  図１５は、一連の相互関係のある機能モジュールとして表されるランダムアクセスチャネルマネージャ１１２を実装するための、例となる装置を図示する。図示された例では、装置１５００は、設定するためのモジュール１５０２、送信するためのモジュール１５０４、および受信するためのモジュール１５０６を含む。
【００９１】
[00106]  設定するためのモジュール１５０２は、ＰＲＡＣＨ上での送信のために競合が有効であるかどうかを示すための競合タイプインジケータ、ＰＲＡＣＨ上での送信のためにアップリンク送信オフセットが有効であるかどうかを示すためのタイミング前進インジケータ、またはそれらの組み合わせを設定し得る。送信するためのモジュール１５０４は、ダウンリンクシグナリングのために構成された部分において１つまたは複数のサブフレーム上のＰＲＡＣＨに関連付けられたブロードキャストメッセージを送信し得る。ブロードキャストメッセージは、競合タイプインジケータ、タイミング前進インジケータ、またはそれらの組み合わせを備え得る。受信するためのモジュール１５０６は、アップリンクシグナリングのために構成された部分において１つまたは複数のサブフレーム上でＰＲＡＣＨを介するシグナリングを受信し得る。
【００９２】
[00107]  図１４−１５のモジュールの機能は、本明細書中の教示と一致する様々な方法で実装され得る。いくつかの設計では、これらのモジュールの機能は、１つまたは複数の電子コンポーネントとして実装され得る。いくつかの設計では、これらのブロックの機能は、１つまたは複数のプロセッサコンポーネントを含む処理システムとして実装され得る。いくつかの設計では、これらのモジュールの機能は、例えば、１つまたは複数の集積回路（例えば、ＡＳＩＣ）のうちの少なくとも一部分を使用して実装され得る。本明細書で説明されるように、集積回路は、プロセッサ、ソフトウェア、他の関連するコンポーネント、またはそれらの何らかの組み合わせを含み得る。よって、異なるモジュールの機能は、例えば、集積回路の異なるサブセットとして、ソフトウェアモジュールのセットの異なるサブセットとして、またはそれらの組み合わせとして実装され得る。また、（例えば、集積回路のおよび／またはソフトウェアモジュールのセットの）所与のサブセットが、１より多いモジュールについての機能の少なくとも一部分を提供し得ることが理解されるだろう。
【００９３】
[00108]  加えて、図１４−１５によって表されたコンポーネントおよび機能、ならびに本明細書で説明された他のコンポーネントおよび機能は、任意の適切な手段を使用して実装され得る。このような手段はまた、少なくとも部分的に、本明細書に教示されるような対応する構造を使用して実装され得る。例えば、図１４−１５の「〜のためのモジュール」というコンポーネントとともに上述されるコンポーネントはまた、同様に指定された「〜のための手段」という機能に対応し得る。よって、いくつかの態様では、そのような手段のうちの１つまたは複数は、アルゴリズムとして含む、本明細書で教示されるプロセッサコンポーネント、集積回路、または他の適切な構造のうちの１つまたは複数を使用して実装され得る。当業者は、上述の記載中に表されるアルゴリズム、同様に擬似コードによって表され得る一連のアクションを本開示において認識するだろう。例えば、図１４−１５で表されるコンポーネントおよび機能は、ＬＯＡＤ動作、ＣＯＭＰＡＲＥ動作、ＲＥＴＵＲＮ動作、ＩＦ−ＴＨＥＮ−ＥＬＳＥループなどを行うためのコードを含み得る。
【００９４】
[00109]  「第１の」、「第２の」、などのような指定を使用した本明細書中のエレメントへのいずれの参照も、一般に、これらエレメントの数量または順序を限定しないことが理解されるべきである。むしろ、これらの指定は、２つ以上のエレメントまたはエレメントのインスタンスの間で区別する便利な方法として本明細書で使用され得る。よって、第１のエレメントおよび第２のエレメントへの参照は、そこで２つだけのエレメントしか用いられないことも、何らかの方法で第１のエレメントが第２のエレメントに先行しなければならないことも、意味していない。また、特にそうでないと述べられていない限り、エレメントのセットは、１つまたは複数のエレメントを備え得る。さらに、本明細書または特許請求の範囲において使用されている「Ａ、Ｂ、またはＣのうちの少なくとも１つ」、または「Ａ、Ｂ、またはＣのうちの１つまたは複数」、または「Ａ、Ｂ、およびＣから成るグループのうちの少なくとも１つ」という形式の用語は、「ＡまたはＢまたはＣまたはこれらエレメントの任意の組合せ」を意味する。例えば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【００９５】
[00110]  上の記述および説明の観点から、例当業者は、本明細書に開示された態様に関連して説明される様々な例示的な論理ブロック、モジュール、回路、およびアルゴリズムステップが電子ハードウェア、コンピュータソフトウェア、または両方の組み合わせとして実装され得ることを理解するだろう。ハードウェアとソフトウェアのこの互換性を明確に例示するために、様々な例示的なコンポーネント、ブロック、モジュール、回路、およびステップが、概してそれらの機能の観点から上述されている。このような機能をハードウェアとして実装するか、またはフトウェアとして実装するかは、特定のアプリケーションおよび全体的なシステムに課された設計制約に依存する。当業者は、説明された機能を特定のアプリケーションごとに様々な方法で実装し得るが、このような実装の決定は、本開示の範囲からの逸脱を引き起こすものとして解釈されるべきではない。
【００９６】
[00111]  従って、例えば、装置または装置の任意のコンポーネントが、本明細書で教示されるような機能を提供する（あるいは、実施可能となるまたは適用される）ように構成され得ることが理解されるだろう。これは、例えば、装置またはコンポーネントを、それが機能を提供することになるように製造する（例えば、作る（fabricating））ことによって、装置またはコンポーネントを、それが機能を提供することになるようにプログラミングすることによって、または何らかの他の適切な実装技法の使用を通して、達成され得る。１つの例として、集積回路は、必要な機能を提供するように作られ得る。別の例として、集積回路は、必要な機能をサポートするように作られ、そして必要な機能を提供するように構成（例えば、プログラミングを介して）され得る。さらに別の例として、プロセッサ回路は、必須の機能性を提供するためのコードを実行し得る。
【００９７】
[00112]  さらに、本明細書に開示された態様に関連して説明された方法、シーケンスおよび／またはアルゴリズムは、直接ハードウェアにおいて、プロセッサによって実行されるソフトウェアモジュールにおいて、またはそれら２つの組み合せにおいて具現化され得る。ソフトウェアモジュールは、ランダムアクセスメモリ（ＲＡＭ）、フラッシュメモリ、読み取り専用メモリ（ＲＯＭ）、電気的プログラマブル読み取り専用メモリ（ＥＰＲＯＭ）、電気的消去可能プログラマブル読み取り専用メモリ（ＥＥＰＲＯＭ（登録商標））、レジスタ、ハードディスク、リムーバルディスク、ＣＤ−ＲＯＭ、あるいは、一時的または非一時的な当該技術分野において周知である任意の他の形式の記憶媒体において存在し得る。例示的な記憶媒体は、プロセッサが記憶媒体から情報を読み取り、記憶媒体に情報を書き込むことができるように、プロセッサに結合される。代替では、記憶媒体は、プロセッサ（例えば、キャッシュメモリ）に統合され得る。
【００９８】
[00113]  従って、例えば、本開示のある特定の態様が通信のための方法を具現化する、一時的または非一時的コンピュータ可読媒体を含み得ることもまた、理解されるだろう。
【００９９】
[00114]  前述の開示が様々な例示的な態様を示す一方、様々な変更および修正が、添付の特許請求の範囲によって定義された範囲から逸脱することなく、図示された例に対して行われ得ることに留意されたい。本開示は、具体的に例示された例のみに限定することを示すものではない。例えば、そうではないと明記されない限り、本明細書に説明された本開示の態様に従った方法の請求項の機能、ステップ、および／またはアクションは、特定の順序で実施される必要はないことに留意されたい。さらに、ある特定の態様は、単数形で説明され得るまたは特許請求され得るが、単数形への限定が明記されていない限り、複数形が考慮される。
以下に、本願の出願当初の特許請求の範囲に記載された発明を付記する。
［Ｃ１］
通信方法であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信することと、ここにおいて、前記ブロードキャストメッセージは、競合タイプインジケータ、タイミング前進インジケータ、またはそれらの組み合わせを備える、
前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定することと、
前記決定することに基づいて、アップリンクシグナリングのために構成された部分において１つまたは複数のサブフレーム上で前記ＰＲＡＣＨを介するシグナリングを送信することと
を備える、通信方法。
［Ｃ２］
前記送信することは、前記競合タイプインジケータに関して前記決定することに基づいて、前記シグナリングのための通信媒体へのアクセスのために選択的に競合することを備える、Ｃ１に記載の方法。
［Ｃ３］
前記送信することは、前記タイミング前進インジケータに関して前記決定することに基づいて、サブフレーム境界に関する修正された開始時間に行われる、Ｃ１に記載の方法。
［Ｃ４］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ１に記載の方法。
［Ｃ５］
前記ブロードキャストメッセージは、クリアチャネルアセスメント（ＣＣＡ）閾値インジケータ、ＣＣＡ持続期間インジケータ、またはそれらの組み合わせをさらに備える、Ｃ１に記載の方法。
［Ｃ６］
前記シグナリングが送信される前記アップリンク部分は、ＰＲＡＣＨ送信のために構成されたサブフレームの終端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、Ｃ１に記載の方法。
［Ｃ７］
前記シグナリングが送信される前記アップリンク部分は、ＰＲＡＣＨ送信のために構成されたサブフレームの始端に位置付けられ、前記送信することは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく行われる、Ｃ１に記載の方法。
［Ｃ８］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信することをさらに備える、Ｃ１に記載の方法。
［Ｃ９］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ１に記載の方法。
［Ｃ１０］
前記ＰＲＡＣＨ内の第２のシンボルのために、または第２のＰＲＡＣＨ試行のために、復調基準信号（ＤＭＲＳ）シーケンスの割り振られたセットからランダムアクセスプリアンブルを送信することをさらに備え、前記ランダムアクセスプリアンブルは、（i）第１のＤＭＲＳシーケンスと同一である、（ii）前記第１のＤＭＲＳシーケンスとは完全に異なる、または（iii）前記第１のＤＭＲＳシーケンスの周期的にシフトされたバージョンである、第２のＤＭＲＳシーケンスに対応する、Ｃ１に記載の方法。
［Ｃ１１］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信することをさらに備える、Ｃ１に記載の方法。
［Ｃ１２］
サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を送信することをさらに備える、Ｃ１に記載の方法。
［Ｃ１３］
ランダムアクセスプロシージャの一部として無線リソース制御（ＲＲＣ）リクエストメッセージの単一の送信または自律的再送信のためにアクセス端末を構成することをさらに備える、Ｃ１に記載の方法。
［Ｃ１４］
通信装置であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するように構成された少なくとも１つのトランシーバと、ここにおいて、前記ブロードキャストメッセージは、競合タイプインジケータ、タイミング前進インジケータ、またはそれらの組み合わせを備える、
少なくとも１つのプロセッサと、
前記少なくとも１つのプロセッサに結合された少なくとも１つのメモリと
を備え、
前記少なくとも１つのプロセッサおよび前記少なくとも１つのメモリは、前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定することを行うように構成される、
前記少なくとも１つのトランシーバは、前記決定することに基づいて、アップリンクシグナリングのために構成された部分において１つまたは複数のサブフレーム上で前記ＰＲＡＣＨを介するシグナリングを送信することを行うようにさらに構成される、通信装置。
［Ｃ１５］
前記少なくとも１つのトランシーバは、前記競合タイプインジケータに関して前記決定することに基づいて、前記シグナリングのための通信媒体へのアクセスのために選択的に競合することを行うようにさらに構成される、Ｃ１４に記載の装置。
［Ｃ１６］
前記少なくとも１つのトランシーバは、前記タイミング前進インジケータに関して前記決定することに基づいて、サブフレーム境界に関する修正された開始時間に前記シグナリングを送信することを行うようにさらに構成される、Ｃ１４に記載の装置。
［Ｃ１７］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ１４に記載の装置。
［Ｃ１８］
前記ブロードキャストメッセージは、クリアチャネルアセスメント（ＣＣＡ）閾値インジケータ、ＣＣＡ持続期間インジケータ、またはそれらの組み合わせをさらに備える、Ｃ１４に記載の装置。
［Ｃ１９］
前記シグナリングが送信される前記アップリンク部分は、ＰＲＡＣＨ送信のために構成されたサブフレームの終端に位置付けられ、前記少なくとも１つのプロセッサおよび前記少なくとも１つのメモリは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく、前記ＰＲＡＣＨを介して前記シグナリングを送信することを行うようにさらに構成される、Ｃ１４に記載の装置。
［Ｃ２０］
前記シグナリングが送信される前記アップリンク部分は、ＰＲＡＣＨ送信のために構成されたサブフレームの始端に位置付けられ、前記少なくとも１つのプロセッサおよび前記少なくとも１つのメモリは、ＰＲＡＣＨ送信のために構成された前記サブフレームがアップリンクサブフレームタイプに対応するか、ダウンリンクサブフレームタイプに対応するか、またはスペシャルサブフレームタイプに対応するかを決定することなく、前記ＰＲＡＣＨを介して前記シグナリングを送信することを行うようにさらに構成される、Ｃ１４に記載の装置。
［Ｃ２１］
前記少なくとも１つのトランシーバは、前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信することを行うようにさらに構成される、Ｃ１４に記載の装置。
［Ｃ２２］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ１４に記載の装置。
［Ｃ２３］
前記少なくとも１つのトランシーバは、前記ＰＲＡＣＨ内の第２のシンボルのために、または第２のＰＲＡＣＨ試行のために、復調基準信号（ＤＭＲＳ）シーケンスの割り振られたセットからランダムアクセスプリアンブルを送信することを行うようにさらに構成され、前記ランダムアクセスプリアンブルは、（i）第１のＤＭＲＳシーケンスと同一である、（ii）前記第１のＤＭＲＳシーケンスとは完全に異なる、または（iii）前記第１のＤＭＲＳシーケンスの周期的にシフトされたバージョンである、第２のＤＭＲＳシーケンスに対応する、Ｃ１４に記載の装置。
［Ｃ２４］
前記少なくとも１つのトランシーバは、物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信することを行うようにさらに構成される、Ｃ１４に記載の装置。
［Ｃ２５］
前記少なくとも１つのトランシーバは、サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を送信することを行うようにさらに構成される、Ｃ１４に記載の装置。
［Ｃ２６］
前記少なくとも１つのプロセッサおよび前記少なくとも１つのメモリは、ランダムアクセスプロシージャの一部として無線リソース制御（ＲＲＣ）リクエストメッセージの単一の送信または自律的再送信のためにアクセス端末を構成することを行うようにさらに構成される、Ｃ１４に記載の装置。
［Ｃ２７］
通信装置であって、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するための手段と、ここにおいて、前記ブロードキャストメッセージは、競合タイプインジケータ、タイミング前進インジケータ、またはそれらの組み合わせを備える、
前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定するための手段と、
前記決定することに基づいて、アップリンクシグナリングのために構成された部分において１つまたは複数のサブフレーム上で前記ＰＲＡＣＨを介するシグナリングを送信するための手段と
を備える、通信装置。
［Ｃ２８］
送信するための前記手段は、前記競合タイプインジケータに関して前記決定することに基づいて、前記シグナリングのための通信媒体へのアクセスのために選択的に競合するための手段を備える、Ｃ２７に記載の装置。
［Ｃ２９］
送信するための前記手段は、前記タイミング前進インジケータに関して前記決定することに基づいて、サブフレーム境界に関する修正された開始時間に前記シグナリングを送信するための手段を備える、Ｃ２７に記載の装置。
［Ｃ３０］
前記ブロードキャストメッセージは、クリアチャネルアセスメント（ＣＣＡ）閾値インジケータ、ＣＣＡ持続期間インジケータ、またはそれらの組み合わせをさらに備える、Ｃ２７に記載の装置。
［Ｃ３１］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信するための手段をさらに備える、Ｃ２７に記載の装置。
［Ｃ３２］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信するための手段をさらに備える、Ｃ２７に記載の装置。
［Ｃ３３］
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
ダウンリンクシグナリングのために構成された部分において１つまたは複数のサブフレーム上で物理ランダムアクセスチャネル（ＰＲＡＣＨ）に関連付けられた情報を含むブロードキャストメッセージを受信するためのコードと、ここにおいて、前記ブロードキャストメッセージは、競合タイプインジケータ、タイミング前進インジケータ、またはそれらの組み合わせを備える、
前記競合タイプインジケータに基づいて前記ＰＲＡＣＨ上での送信のために競合が有効であるかどうかを、前記タイミング前進インジケータに基づいて前記ＰＲＡＣＨ上での送信のためにアップリンク送信オフセットが有効であるかどうかを、またはそれらの組み合わせを決定するためのコードと、
前記決定することに基づいて、アップリンクシグナリングのために構成された部分において１つまたは複数のサブフレーム上で前記ＰＲＡＣＨを介するシグナリングを送信するためのコードと
を備える、非一時的コンピュータ可読媒体。
［Ｃ３４］
送信するための前記コードは、前記競合タイプインジケータに関して前記決定することに基づいて、前記シグナリングのための通信媒体へのアクセスのために選択的に競合するためのコードを備える、Ｃ３３に記載の非一時的コンピュータ可読媒体。
［Ｃ３５］
送信するための前記コードは、前記タイミング前進インジケータに関して前記決定することに基づいて、サブフレーム境界に関する修正された開始時間に前記シグナリングを送信するためのコードを備える、Ｃ３３に記載の非一時的コンピュータ可読媒体。
［Ｃ３６］
前記ブロードキャストメッセージは、クリアチャネルアセスメント（ＣＣＡ）閾値インジケータ、ＣＣＡ持続期間インジケータ、またはそれらの組み合わせをさらに備える、Ｃ３３に記載の非一時的コンピュータ可読媒体。
［Ｃ３７］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを受信するためのコードをさらに備える、Ｃ３３に記載の非一時的コンピュータ可読媒体。
［Ｃ３８］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを受信するためのコードをさらに備える、Ｃ３３に記載の非一時的コンピュータ可読媒体。
［Ｃ３９］
通信方法であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定することと、
ダウンリンクシグナリングのために構成された部分において１つまたは複数のサブフレーム上の前記ＰＲＡＣＨに関連付けられた情報を含むブロードキャストメッセージを送信することと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信することと
を備える、通信方法。
［Ｃ４０］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ３９に記載の方法。
［Ｃ４１］
前記ブロードキャストメッセージは、クリアチャネルアセスメント（ＣＣＡ）閾値インジケータ、ＣＣＡ持続期間インジケータ、またはそれらの組み合わせをさらに備える、Ｃ３９に記載の方法。
［Ｃ４２］
前記シグナリングが受信される前記アップリンク部分は、スペシャルサブフレームのダウンリンク部分とギャップ部分とに後続する前記スペシャルサブフレームの終端に位置付けられ、前記スペシャルサブフレームは、時分割複信（ＴＤＤ）フレーム構造内のダウンリンク−アップリンク遷移境界に位置付けられる、Ｃ３９に記載の方法。
［Ｃ４３］
前記シグナリングが受信される前記アップリンク部分は、スペシャルサブフレームのダウンリンク部分とギャップ部分とに先行する前記スペシャルサブフレームの始端に位置付けられ、前記スペシャルサブフレームは、時分割複信（ＴＤＤ）フレーム構造内のアップリンク−ダウンリンク遷移境界に位置付けられる、Ｃ３９に記載の方法。
［Ｃ４４］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信することをさらに備える、Ｃ３９に記載の方法。
［Ｃ４５］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ３９に記載の方法。
［Ｃ４６］
リソースブロック（ＲＢ）ごとの処理とＲＢにわたる非コヒーレントエネルギ結合とを行うことによって、復調基準信号（ＤＭＲＳ）シーケンスの割り振られたセットから選択されたランダムアクセスプリアンブルを復調することをさらに備える、Ｃ３９に記載の方法。
［Ｃ４７］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信することをさらに備える、Ｃ３９に記載の方法。
［Ｃ４８］
サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を受信することをさらに備える、Ｃ３９に記載の方法。
［Ｃ４９］
ランダムアクセスプロシージャの一部として無線リソース制御（ＲＲＣ）リクエストメッセージの単一の送信または自律的再送信のためにアクセス端末を構成することをさらに備える、Ｃ３９に記載の方法。
［Ｃ５０］
通信装置であって、
少なくとも１つのプロセッサと、
前記少なくとも１つのプロセッサに結合された少なくとも１つのメモリと、前記少なくとも１つのプロセッサおよび前記少なくとも１つのメモリは、物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定することを行うように構成され、
ダウンリンクシグナリングのために構成された部分において１つまたは複数のサブフレーム上の前記ＰＲＡＣＨに関連付けられたブロードキャストメッセージを送信することと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信することと
を行うように構成された少なくとも１つのトランシーバと
を備える、通信装置。
［Ｃ５１］
前記ＰＲＡＣＨは、（i）所与のサブフレームに関連付けられた前記シンボル期間の実質的に全てを占有するロングＰＲＡＣＨフォーマット、または（ii）所与のサブフレームに関連付けられた前記シンボル期間の全てに満たないサブセットを占有するショートＰＲＡＣＨフォーマットに対応する、Ｃ５０に記載の装置。
［Ｃ５２］
前記ブロードキャストメッセージは、クリアチャネルアセスメント（ＣＣＡ）閾値インジケータ、ＣＣＡ持続期間インジケータ、またはそれらの組み合わせをさらに備える、Ｃ５０に記載の装置。
［Ｃ５３］
前記シグナリングが受信される前記アップリンク部分は、スペシャルサブフレームのダウンリンク部分とギャップ部分とに後続する前記スペシャルサブフレームの終端に位置付けられ、前記スペシャルサブフレームは、時分割複信（ＴＤＤ）フレーム構造内のダウンリンク−アップリンク遷移境界に位置付けられる、Ｃ５０に記載の装置。
［Ｃ５４］
前記シグナリングが受信される前記アップリンク部分は、スペシャルサブフレームのダウンリンク部分とギャップ部分とに先行する前記スペシャルサブフレームの始端に位置付けられ、前記スペシャルサブフレームは、時分割複信（ＴＤＤ）フレーム構造内のアップリンク−ダウンリンク遷移境界に位置付けられる、Ｃ５０に記載の装置。
［Ｃ５５］
前記少なくとも１つのトランシーバは、前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信することを行うようにさらに構成される、Ｃ５０に記載の装置。
［Ｃ５６］
前記ＰＲＡＣＨは、遮断された送信機会に後続する日和見的な送信のために予約された１つまたは複数のシンボル期間にわたる１つまたは複数のリソースブロック（ＲＢ）を備える、Ｃ５０に記載の装置。
［Ｃ５７］
前記少なくとも１つのプロセッサおよび前記少なくとも１つのメモリは、リソースブロック（ＲＢ）ごとの処理とＲＢにわたる非コヒーレントエネルギ結合とを行うことによって、復調基準信号（ＤＭＲＳ）シーケンスの割り振られたセットから選択されたランダムアクセスプリアンブルを復調すること行うようにさらに構成される、Ｃ５０に記載の装置。
［Ｃ５８］
前記少なくとも１つのトランシーバは、物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信することを行うようにさらに構成される、Ｃ５０に記載の装置。
［Ｃ５９］
前記少なくとも１つのトランシーバは、サブフレームインデックス、リソースブロック（ＲＢ）インターレース、前記ＰＲＡＣＨのために用いられる復調基準信号（ＤＭＲＳ）シーケンス、またはそれらの組み合わせの関数である、ランダムアクセスネットワーク一時識別子（ＲＡ−ＲＮＴＩ）を受信することを行うようにさらに構成される、Ｃ５０に記載の装置。
［Ｃ６０］
前記少なくとも１つのプロセッサおよび前記少なくとも１つのメモリは、ランダムアクセスプロシージャの一部として無線リソース制御（ＲＲＣ）リクエストメッセージの単一の送信または自律的再送信のためにアクセス端末を構成することを行うようにさらに構成される、Ｃ５０に記載の装置。
［Ｃ６１］
通信装置であって、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するための手段と、
ダウンリンクシグナリングのために構成された部分において１つまたは複数のサブフレーム上の前記ＰＲＡＣＨに関連付けられたブロードキャストメッセージを送信するための手段と、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するための手段と
を備える、通信装置。
［Ｃ６２］
前記ブロードキャストメッセージは、クリアチャネルアセスメント（ＣＣＡ）閾値インジケータ、ＣＣＡ持続期間インジケータ、またはそれらの組み合わせをさらに備える、Ｃ６１に記載の装置。
［Ｃ６３］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信するための手段をさらに備える、Ｃ６１に記載の装置。
［Ｃ６４］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信するための手段をさらに備える、Ｃ６１に記載の装置。
［Ｃ６５］
少なくとも１つのプロセッサによって実行されるとき、通信のための動作を前記少なくとも１つのプロセッサに行わせるコードを備える非一時的コンピュータ可読媒体であって、前記非一時的コンピュータ可読媒体は、
物理ランダムアクセスチャネル（ＰＲＡＣＨ）上での送信のために競合が有効であるかどうかを示すための競合タイプインジケータ、前記ＰＲＡＣＨ上での送信のためにアップリンク送信オフセットが有効であるかどうかを示すためのタイミング前進インジケータ、またはそれらの組み合わせを設定するためのコードと、
ダウンリンクシグナリングのために構成された部分において１つまたは複数のサブフレーム上の前記ＰＲＡＣＨに関連付けられたブロードキャストメッセージを送信するためのコードと、ここにおいて、前記ブロードキャストメッセージは、前記競合タイプインジケータ、前記タイミング前進インジケータ、またはそれらの組み合わせを備える、
アップリンクシグナリングのために構成された部分において１つまたは複数のサブフレーム上で前記ＰＲＡＣＨを介するシグナリングを受信するためのコードと
を備える、非一時的コンピュータ可読媒体。
［Ｃ６６］
前記ブロードキャストメッセージは、クリアチャネルアセスメント（ＣＣＡ）閾値インジケータ、ＣＣＡ持続期間インジケータ、またはそれらの組み合わせをさらに備える、Ｃ６５に記載の非一時的コンピュータ可読媒体。
［Ｃ６７］
前記ブロードキャストメッセージ中の、または別個のブロードキャストメッセージ中の、フォーマット／持続期間インジケータ、インターレースインジケータ、シーケンスインジケータ、ＰＲＡＣＨロケーション／持続期間インジケータ、またはそれらの組み合わせを送信するためのコードをさらに備える、Ｃ６５に記載の非一時的コンピュータ可読媒体。
［Ｃ６８］
物理アップリンク共有チャネル（ＰＵＳＣＨ）とは異なる最大送信電力を設定する狭帯域ＰＲＡＣＨ波形のためのＰＲＡＣＨ固有の最大送信電力パラメータを送信するためのコードをさらに備える、Ｃ６５に記載の非一時的コンピュータ可読媒体。
【図１】
0006783859.tif 000002
【図２Ａ】
0006783859.tif 000003
【図２Ｂ】
0006783859.tif 000004
【図３】
0006783859.tif 000005
【図４】
0006783859.tif 000006
【図５】
0006783859.tif 000007
【図６Ａ】
0006783859.tif 000008
【図６Ｂ】
0006783859.tif 000009
【図７】
0006783859.tif 000010
【図８】
0006783859.tif 000011
【図９】
0006783859.tif 000012
【図１０】
0006783859.tif 000013
【図１１】
0006783859.tif 000014
【図１２】
0006783859.tif 000015
【図１３】
0006783859.tif 000016
【図１４】
0006783859.tif 000017
【図１５】
0006783859.tif 000018